(57)【要約】  本発明は、通信システムにおけるダウンリンク（ＤＬ）Ｅ−ＤＣＨの電力使用量の分配のための方法、通信システム、及び通信システムにおけるノードＢ（ＮＢ）に関する。上記システムは、少なくとも１つのユーザ端末（ＵＥ）との間のワイヤレス通信を可能とするための少なくとも１つのノードＢ（ＮＢ）を含む。上記通信は、上記ユーザ端末（ＵＥ）と上記ノードＢ（ＮＢ）との間のアップリンク（ＵＬ）及びダウンリンク（ＤＬ）のデータトラフィックのための、拡張専用伝送チャネル（Ｅ−ＤＣＨ）及び１つの高速ダウンリンク共有チャネル（ＨＳ−ＤＳＣＨ）を介して可能となる。上記ノードＢ（ＮＢ）は、上記ＨＳ−ＤＳＣＨを介する上記ＤＬのデータトラフィックについてのデータレートをスケジューリングするためのＨＳＤＰＡスケジューラ（ＨＳ−Ｓ）を含む。それは、Ｅ−ＤＣＨを介する上記ＵＬのデータトラフィックについての最大のデータレートをスケジューリングするためのＥＵＬスケジューラ（ＥＵＬ−Ｓ）をさらに含む。上記方法は、上記ノードＢ（ＮＢ）が、少なくとも１つのＥ−ＤＣＨ物理チャネル上における少なくとも１つの来るべきＥ−ＤＣＨ  ＤＬ送信についての上記電力消費及び／又は上記対応する送信時間を評価する（１１１）ことを、特に特徴とする。上記ノードＢ（ＮＢ）は、Ｅ−ＤＣＨ  ＤＬ送信に先立って上記ＨＳＤＰＡスケジューラ（ＨＳ−Ｓ）に対して評価された上記電力消費及び／又は上記対応する送信時間の情報を送信する（１１２）。【選択図】図１１
2011520337.tif 000002
【特許請求の範囲】
【請求項１】
少なくとも１つのユーザ端末（ＵＥ）（１５）との間のワイヤレス通信を可能とする少なくとも１つのノードＢ（ＮＢ）（１１）を含む通信システムにおいてダウンリンクＥ−ＤＣＨの電力使用量を分配するための方法であって、
前記通信は、前記ユーザ端末（ＵＥ）（１５）と前記ノードＢ（ＮＢ）（１１）との間のアップリンク（ＵＬ）及びダウンリンク（ＤＬ）のデータトラフィックのための、拡張専用伝送チャネル（Ｅ−ＤＣＨ：enhanced  dedicated  transport  channel）及び１つの高速ダウンリンク共有チャネル（ＨＳ−ＤＳＣＨ：high  speed  downlink  shared  channel）を介して可能となり、
前記ノードＢ（ＮＢ）（１１）は、前記ＨＳ−ＤＳＣＨを介する前記ＤＬのデータトラフィックについてのデータレートをスケジューリングするためのＨＳＤＰＡスケジューラ（ＨＳ−Ｓ）と、Ｅ−ＤＣＨを介する前記ＵＬのデータトラフィックについての最大のデータレートをスケジューリングするためのＥＵＬスケジューラ（ＥＵＬ−Ｓ）とを含み、
前記方法は、
前記ノードＢ（ＮＢ）（１１）が、少なくとも１つのＥ−ＤＣＨ物理チャネル上における少なくとも１つの来るべきＥ−ＤＣＨ  ＤＬ送信についての電力消費及び／又は対応する送信時間を評価すること（４０３、４０４、６０３、６０４、６０８、８０９、９０６、１０６、１１１）と、
前記ノードＢ（ＮＢ）（１１）が、Ｅ−ＤＣＨ  ＤＬ送信に先立って前記ＨＳＤＰＡスケジューラ（ＨＳ−Ｓ）に対して評価された前記電力消費及び／又は前記対応する送信時間の情報を送信すること（４０３、４０５、６０３、６０９、８１１、９０８、１０８、１１２）と、
を特徴とする、方法。
【請求項２】
前記ＥＵＬスケジューラ（ＥＵＬ−Ｓ）が、評価された前記電力消費及び／又は前記対応する送信時間の情報を送信する、請求項１に記載の方法。
【請求項３】
前記ノードＢ（ＮＢ）（１１）内において前記ＥＵＬスケジューラ（ＥＵＬ−Ｓ）の外部に配置される構成要素が、評価された前記電力消費及び／又は前記対応する送信時間の情報を送信する、先行する請求項のいずれかに記載の方法。
【請求項４】
前記ＥＵＬスケジューラ（ＥＵＬ−Ｓ）が、前記電力消費及び／又は前記対応する送信時間を評価する、先行する請求項のいずれかに記載の方法。
【請求項５】
前記ノードＢ（ＮＢ）（１１）内において前記ＥＵＬスケジューラ（ＥＵＬ−Ｓ）の外部に配置される構成要素が、前記電力消費及び／又は前記対応する送信時間を評価する、先行する請求項のいずれかに記載の方法。
【請求項６】
前記ノードＢ（ＮＢ）（１１）は、１つより多くのＥ−ＤＣＨ  ＤＬ送信についての前記電力消費及び／又は前記対応する送信時間を評価する、先行する請求項のいずれかに記載の方法。
【請求項７】
前記ノードＢ（ＮＢ）（１１）は、前記ＥＵＬスケジューラ（ＥＵＬ−Ｓ）がスケジューリングの決定をし次第、前記電力消費及び／又は前記対応する送信時間を収集することによって、拡張絶対的使用権チャネル（Ｅ−ＡＧＣＨ）及び／又は拡張相対的使用権チャネル（Ｅ−ＲＧＣＨ）上の前記電力消費及び／又は前記対応する送信時間を評価する（４０３、６０３）、先行する請求項のいずれかに記載の方法。
【請求項８】
前記ノードＢ（ＮＢ）（１１）は、前記電力消費についての第１の平均値を計算することによって、Ｅ−ＤＣＨのハイブリッド自動再送要求（ＨＡＲＱ）確認応答インジケータチャネル（Ｅ−ＨＩＣＨ）上の前記電力消費を評価する（４０４、６０４）、先行する請求項のいずれかに記載の方法。
【請求項９】
前記ノードＢ（ＮＢ）（１１）は、Ｅ−ＨＩＣＨのＥ−ＤＣＨ  ＤＬ送信についての記憶されているＥ−ＨＩＣＨの電力消費値及び前記対応する送信時間の情報を使用して前記第１の平均値を計算する（４０４）、請求項８に記載の方法。
【請求項１０】
前記ノードＢ（ＮＢ）（１１）は、Ｅ−ＨＩＣＨチャネル上でＥ−ＤＣＨ  ＤＬ送信が行われるのを検出すると、Ｅ−ＤＣＨ  ＤＬ送信についてのＥ−ＨＩＣＨの電力消費値及び前記対応する送信時間の情報を記憶する（３０３）、請求項９に記載の方法。
【請求項１１】
Ｅ−ＨＩＣＨについての前記電力消費についての前記第１の平均値が計算された場合、前記ノードＢ（ＮＢ）（１１）は：
第１の時間帯についてＥ−ＨＩＣＨの否定ＡＣＫ（ＮＡＣＫ）及び確認応答（ＡＣＫ）間の割合についての第２の平均値を計算するステップ（６０５）と、
前記第１の時間帯よりも短い第２の時間帯についてＥ−ＨＩＣＨの否定ＡＣＫ（ＮＡＣＫ）及び確認応答（ＡＣＫ）間の割合についての第３の平均値を計算するステップ（６０６）と、
Ｅ−ＨＩＣＨの否定ＡＣＫ（ＮＡＣＫ）及び確認応答（ＡＣＫ）間の割合についての前記第２の平均値及び前記第３の平均値間の割合を使用して、Ｅ−ＨＩＣＨについての前記電力消費についての前記第１の平均値をバイアスし又は補償するステップ（６０７）と、
を実行することによって前記電力消費を評価する（６０８）、請求項９〜１０のいずれかに記載の方法。
【請求項１２】
前記ノードＢ（ＮＢ）（１１）は、Ｅ−ＤＣＨ  ＤＬ送信についての記憶されているＥ−ＨＩＣＨのＡＣＫ及びＮＡＣＫの電力消費の送信試行値（transmit  attempt  values）及び対応する送信時間の情報を使用して、前記第１の平均値を計算する（６０４）、請求項１１に記載の方法。
【請求項１３】
前記ノードＢ（ＮＢ）（１１）は、Ｅ−ＨＩＣＨチャネル上でＥ−ＤＣＨ  ＤＬ送信が行われることを検出すると、Ｅ−ＤＣＨ  ＤＬ送信についてのＥ−ＨＩＣＨのＡＣＫ又はＮＡＣＫのいずれかの電力消費値及び対応する送信時間の情報を記憶する（５０４、５０５）、請求項１２に記載の方法。
【請求項１４】
前記ノードＢ（ＮＢ）（１１）は、前記ＨＳＤＰＡスケジューラ（ＨＳ−Ｓ）に対して、Ｅ−ＨＩＣＨについての前記電力消費についての前記第１の平均値又はバイアスされた第１の平均値を送信することによって、評価された前記電力消費を送信する（４０５、６０９）、請求項８〜１３のいずれかに記載の方法。
【請求項１５】
前記ノードＢ（ＮＢ）（１１）は：
拡張ダウンリンク物理制御チャネル（Ｅ−ＤＰＣＣＨ）の受信を待ち受けるステップ（８０２、９０２、１０２）と、
Ｅ−ＤＣＨのハイブリッド自動再送要求（ＨＡＲＱ）確認応答インジケータチャネル（Ｅ−ＨＩＣＨ）上におけるＥ−ＤＣＨ  ＤＬ送信についての決定された送信時間を記憶するステップ（８０５、９０４、１０４）と、
前記ＨＳ−ＤＳＣＨを介する前記ＤＬのデータトラフィックについてのデータレートをスケジューリングするために、前記ＨＳＤＰＡスケジューラ（ＨＳ−Ｓ）によりＥ−ＨＩＣＨについての評価された前記電力消費及び／又は前記対応する送信時間を収集しなければならない期限を決定するステップ（８１０、９０７、１０７）と、
を実行することによって、Ｅ−ＤＣＨのハイブリッド自動再送要求（ＨＡＲＱ）確認応答インジケータチャネル（Ｅ−ＨＩＣＨ）上の前記電力消費及び／又は前記対応する送信時間を評価する（８０９、９０６、１０６）、
請求項１〜７のいずれかに記載の方法。
【請求項１６】
前記ノードＢ（ＮＢ）（１１）は、Ｅ−ＤＰＣＣＨの内容を前記決定された送信時間を記憶する（８０５、９０４）前に復号する（８０３、９０３）、請求項１５に記載の方法。
【請求項１７】
前記ノードＢ（ＮＢ）（１１）は、受信した拡張ダウンリンク物理専用チャネル（Ｅ−ＤＰＤＣＨ）の前記内容を、前記決定された送信時間を記憶する（８０５）前に復号する（８０４）、請求項１５〜１６のいずれかに記載の方法。
【請求項１８】
前記ノードＢ（ＮＢ）（１１）は、不連続送信（ＤＴＸ：Discontinuous  Transmission）を前記決定された送信時間を記憶する（１０４）前に検出する（１０３）、請求項１５に記載の方法。
【請求項１９】
前記ノードＢ（ＮＢ）（１１）は、前記決定された送信時間を記憶した後に：
Ｅ−ＨＩＣＨ上におけるＥ−ＤＣＨ  ＤＬ送信において確認応答（ＡＣＫ）又は否定ＡＣＫ（ＮＡＣＫ）が送信されようとしているかの情報を待ち受けるステップ（８０６）と、
送信されることになるのがＡＣＫ又はＮＡＣＫのいずれかを判定するステップ（８０６）と、
送信されることになる前記ＡＣＫ及びＮＡＣＫについての最新の利用可能な評価された前記電力消費を取得するステップ（８０７、８０８）と、
を実行する、請求項１５〜１８のいずれかに記載の方法。
【請求項２０】
前記ノードＢ（ＮＢ）（１１）は、前記決定された送信時間を記憶した後に：
Ｅ−ＨＩＣＨ上におけるＥ−ＤＣＨ  ＤＬ送信において送信されようとしている前記ＡＣＫ又はＮＡＣＫについての最新の利用可能な前記電力消費の結合された値を取得するステップ（９０５、１０５）、
を実行する、請求項１５〜１８のいずれかに記載の方法。
【請求項２１】
前記ノードＢ（ＮＢ）（１１）は、前記ＨＳＤＰＡスケジューラ（ＨＳ−Ｓ）へ、全てのＥ−ＨＩＣＨ寄与者（contributor）についての評価された前記電力消費及び／又は前記対応する送信時間の情報を送信する（８１１、９０８、１０８）、請求項１５〜２０のいずれかに記載の方法。
【請求項２２】
前記ノードＢ（ＮＢ）（１１）は、ＵＥ（１５）毎に前記電力消費及び／又は前記対応する送信時間を評価する、請求項７〜２１のいずれかに記載の方法。
【請求項２３】
前記ＨＳＤＰＡスケジューラ（ＨＳ−Ｓ）は、評価された前記電力消費及び／又は前記対応する送信時間を、前記ＨＳ−ＤＳＣＨを介する前記ＤＬのデータトラフィックについてのデータレートをスケジューリングする際に使用する、先行する請求項のいずれかに記載の方法。
【請求項２４】
前記電力消費及び／又は前記対応する送信時間の前記評価（４０３、４０４、６０４、６０８）に先立って、完了したＥ−ＤＣＨのスケジューリングの待ち受け（４０２、６０２）が行われる、請求項１〜１４のいずれかに記載の方法。
【請求項２５】
少なくとも１つのユーザ端末（ＵＥ）（１５）との間のワイヤレス通信を可能とするために通信システム内に配置され、ダウンリンクＥ−ＤＣＨの電力使用量を分配するためのノードＢ（ＮＢ）（１１）であって、
前記通信は、前記ユーザ端末（ＵＥ）（１５）と前記ノードＢ（ＮＢ）（１１）との間のアップリンク（ＵＬ）及びダウンリンク（ＤＬ）のデータトラフィックのための拡張専用伝送チャネル（Ｅ−ＤＣＨ）及び１つの高速ダウンリンク共有チャネル（ＨＳ−ＤＳＣＨ）を介して可能となり、
前記ノードＢ（ＮＢ）（１１）は、前記ＨＳ−ＤＳＣＨを介する前記ＤＬのデータトラフィックについてのデータレートをスケジューリングするためのＨＳＤＰＡスケジューラ（ＨＳ−Ｓ）と、Ｅ−ＤＣＨを介する前記ＵＬのデータトラフィックについての最大のデータレートをスケジューリングするためのＥＵＬスケジューラ（ＥＵＬ−Ｓ）とを含み、
前記ノードＢ（ＮＢ）（１１）は、少なくとも１つのＥ−ＤＣＨ物理チャネル上における少なくとも１つの来るべきＥ−ＤＣＨ  ＤＬ送信についての電力消費及び／又は対応する送信時間を評価する（４０３、４０４、６０３、６０４、６０８、８０９、９０６、１０６、１１１）ためのメカニズムを含み、
前記ノードＢ（ＮＢ）（１１）は、Ｅ−ＤＣＨ  ＤＬ送信に先立って、評価された前記電力消費及び／又は前記対応する送信時間の情報を前記ＨＳＤＰＡスケジューラ（ＨＳ−Ｓ）へ送信する（４０３、４０５、６０３、６０９、８１１、９０８、１０８、１１２）ためのメカニズムをさらに含む、
ことを特徴とする、ノードＢ（ＮＢ）（１１）。
【請求項２６】
前記ＥＵＬスケジューラ（ＥＵＬ−Ｓ）が、前記電力消費及び／又は前記対応する送信時間を送信するためのメカニズムを含む、請求項２５に記載のノードＢ（ＮＢ）（１１）。
【請求項２７】
前記ノードＢ（ＮＢ）（１１）内において前記ＥＵＬスケジューラ（ＥＵＬ−Ｓ）の外部に配置される構成要素が、評価された前記電力消費及び／又は前記対応する送信時間の情報を送信するためのメカニズムを含む、請求項２５〜２６のいずれかに記載のノードＢ（ＮＢ）（１１）。
【請求項２８】
前記ＥＵＬスケジューラ（ＥＵＬ−Ｓ）が、前記電力消費及び／又は前記対応する送信時間を評価するためのメカニズムを含む、請求項２５〜２７のいずれかに記載のノードＢ（ＮＢ）（１１）。
【請求項２９】
前記ノードＢ（ＮＢ）（１１）内において前記ＥＵＬスケジューラ（ＥＵＬ−Ｓ）の外部に配置される構成要素が、前記電力消費及び／又は前記対応する送信時間を評価するためのメカニズムを含む、請求項２５〜２８のいずれかに記載のノードＢ（ＮＢ）（１１）。
【請求項３０】
前記ノードＢ（ＮＢ）（１１）は、１つより多くのＥ−ＤＣＨ  ＤＬ送信についての前記電力消費及び／又は前記対応する送信時間を評価するためのメカニズムを含む、請求項２５〜２９のいずれかに記載のノードＢ（ＮＢ）（１１）。
【請求項３１】
前記ノードＢ（ＮＢ）（１１）は、前記ＥＵＬスケジューラ（ＥＵＬ−Ｓ）がスケジューリングの決定をし次第、前記電力消費及び／又は前記対応する送信時間を収集することによって、拡張絶対的使用権チャネル（Ｅ−ＡＧＣＨ）及び／又は拡張相対的使用権チャネル（Ｅ−ＲＧＣＨ）上の前記電力消費及び／又は前記対応する送信時間を評価する（４０３、６０３）ためのメカニズムを含む、請求項２５〜３０のいずれかに記載のノードＢ（ＮＢ）（１１）。
【請求項３２】
前記ノードＢ（ＮＢ）（１１）は、前記電力消費についての第１の平均値を計算することによって、Ｅ−ＤＣＨのハイブリッド自動再送要求（ＨＡＲＱ）確認応答インジケータチャネル（Ｅ−ＨＩＣＨ）上の前記電力消費を評価する（４０４、６０４）ためのメカニズムを含む、請求項２５〜３１のいずれかに記載のノードＢ（ＮＢ）（１１）。
【請求項３３】
前記ノードＢ（ＮＢ）（１１）は、Ｅ−ＨＩＣＨのＥ−ＤＣＨ  ＤＬ送信についての記憶されているＥ−ＨＩＣＨの電力消費値及び前記対応する送信時間の情報を使用して前記第１の平均値を計算する（４０４）ためのメカニズムを含む、請求項３２に記載のノードＢ（ＮＢ）（１１）。
【請求項３４】
前記ノードＢ（ＮＢ）（１１）は、
Ｅ−ＨＩＣＨチャネル上でＥ−ＤＣＨ  ＤＬ送信が行われることを検出すると、Ｅ−ＤＣＨ  ＤＬ送信についてのＥ−ＨＩＣＨの電力消費値及び前記対応する送信時間の情報を記憶する（３０３）ためのメカニズム、
を含む、請求項３３に記載のノードＢ（ＮＢ）（１１）。
【請求項３５】
Ｅ−ＨＩＣＨについての前記電力消費についての前記第１の平均値が計算された場合、前記ノードＢ（ＮＢ）（１１）は：
第１の時間帯についてＥ−ＨＩＣＨの否定ＡＣＫ（ＮＡＣＫ）及び確認応答（ＡＣＫ）間の割合についての第２の平均値を計算するステップ（６０５）と、
前記第１の時間帯よりも短い第２の時間帯についてＥ−ＨＩＣＨの否定ＡＣＫ（ＮＡＣＫ）及び確認応答（ＡＣＫ）間の割合についての第３の平均値を計算するステップ（６０６）と、
Ｅ−ＨＩＣＨの否定ＡＣＫ（ＮＡＣＫ）及び確認応答（ＡＣＫ）間の割合についての前記第２の平均値及び前記第３の平均値間の割合を使用して、Ｅ−ＨＩＣＨについての前記電力消費についての前記第１の平均値をバイアスし又は補償するステップ（６０７）と、
を実行することによって前記電力消費を評価する（６０８）ためのメカニズムを含む、請求項３３〜３４のいずれかに記載のノードＢ（ＮＢ）（１１）。
【請求項３６】
前記ノードＢ（ＮＢ）（１１）は、Ｅ−ＤＣＨ  ＤＬ送信についての記憶されているＥ−ＨＩＣＨのＡＣＫ及びＮＡＣＫの電力消費の送信試行値及び対応する送信時間の情報を使用して前記第１の平均値を計算する（６０４）ためのメカニズムを含む、請求項３５に記載のノードＢ（ＮＢ）（１１）。
【請求項３７】
前記ノードＢ（ＮＢ）（１１）は、
Ｅ−ＨＩＣＨチャネル上でＥ−ＤＣＨ  ＤＬ送信が行われるのを検出すると、Ｅ−ＤＣＨ  ＤＬ送信についてのＥ−ＨＩＣＨのＡＣＫ又はＮＡＣＫいずれかの電力消費値及び対応する送信時間の情報を記憶する（５０４、５０５）ためのメカニズム、
を含む、請求項３６に記載のノードＢ（ＮＢ）（１１）
【請求項３８】
前記ノードＢ（ＮＢ）（１１）は、
Ｅ−ＨＩＣＨについての前記電力消費についての前記第１の平均値又はバイアスされた第１の平均値を前記ＨＳＤＰＡスケジューラ（ＨＳ−Ｓ）へ送信することによって、評価された前記電力消費を送信する（４０５、６０９）ためのメカニズム、
を含む、請求項３２〜３７のいずれかに記載のノードＢ（ＮＢ）（１１）。
【請求項３９】
前記ノードＢ（ＮＢ）（１１）は：
拡張ダウンリンク物理制御チャネル（Ｅ−ＤＰＣＣＨ）の受信を待ち受けるステップ（８０２、９０２、１０２）と、
Ｅ−ＤＣＨのハイブリッド自動再送要求（ＨＡＲＱ）確認応答インジケータチャネル（Ｅ−ＨＩＣＨ）上におけるＥ−ＤＣＨ  ＤＬ送信についての決定された送信時間を記憶するステップ（８０５、９０４、１０４）と、
前記ＨＳ−ＤＳＣＨを介する前記ＤＬのデータトラフィックについてのデータレートをスケジューリングするために、前記ＨＳＤＰＡスケジューラ（ＨＳ−Ｓ）がＥ−ＨＩＣＨについての評価された前記電力消費及び／又は前記対応する送信時間を収集しなければならない期限を決定するステップ（８１０、９０７、１０７）と、
を実行することによって、Ｅ−ＤＣＨのハイブリッド自動再送要求（ＨＡＲＱ）確認応答インジケータチャネル（Ｅ−ＨＩＣＨ）上の前記電力消費及び／又は前記対応する送信時間を評価する（８０９、９０６、１０６）ためのメカニズム、
を含む、請求項２５〜３１のいずれかに記載のノードＢ（ＮＢ）（１１）。
【請求項４０】
前記ノードＢ（ＮＢ）（１１）は、前記決定された送信時間を記憶する（８０５、９０４）前に、Ｅ−ＤＰＣＣＨの内容を復号する（８０３、９０３）ためのメカニズム、
を含む、請求項３９に記載のノードＢ（ＮＢ）（１１）。
【請求項４１】
前記ノードＢ（ＮＢ）（１１）は、
前記決定された送信時間を記憶する（８０５）前に、受信した拡張ダウンリンク物理専用チャネル（Ｅ−ＤＰＤＣＨ）の前記内容を復号する（８０４）ためのメカニズム、
を含む、請求項３９〜４０のいずれかに記載のノードＢ（ＮＢ）（１１）。
【請求項４２】
前記ノードＢ（ＮＢ）（１１）は、前記決定された送信時間を記憶する（１０４）前に不連続送信（ＤＴＸ）を検出する（１０３）ためのメカニズムを含む、請求項３９に記載のノードＢ（ＮＢ）（１１）。
【請求項４３】
前記ノードＢ（ＮＢ）（１１）は、
前記決定された送信時間を記憶した後に：
Ｅ−ＨＩＣＨ上におけるＥ−ＤＣＨ  ＤＬ送信において確認応答（ＡＣＫ）又は否定ＡＣＫ（ＮＡＣＫ）が送信されようとしているかの情報を待ち受けるステップ（８０６）と、
送信されることになるのがＡＣＫ又はＮＡＣＫのいずれかを判定するステップ（８０６）と、
送信されることになる前記ＡＣＫ及びＮＡＣＫについての最新の利用可能な評価された前記電力消費を取得するステップ（８０７、８０８）と、
を実行するためのメカニズム、
を含む、請求項３９〜４２のいずれかに記載のノードＢ（ＮＢ）（１１）。
【請求項４４】
前記ノードＢ（ＮＢ）（１１）は、前記決定された送信時間を記憶した後に：
Ｅ−ＨＩＣＨ上におけるＥ−ＤＣＨ  ＤＬ送信において送信されることになる前記ＡＣＫ又はＮＡＣＫについての最新の利用可能な前記電力消費の結合された値を取得するステップ（９０５、１０５）、
を実行するためのメカニズムを含む、請求項３９〜４２のいずれかに記載のノードＢ（ＮＢ）（１１）。
【請求項４５】
前記ノードＢ（ＮＢ）（１１）は、全てのＥ−ＨＩＣＨ寄与者についての評価された前記電力消費及び／又は前記対応する送信時間の情報を前記ＨＳＤＰＡスケジューラ（ＨＳ−Ｓ）へ送信する（８１１、９０８、１０８）ためのメカニズムを含む、請求項３９〜４４のいずれかに記載のノードＢ（ＮＢ）（１１）。
【請求項４６】
前記ノードＢ（ＮＢ）（１１）は、ＵＥ（１５）毎に前記電力消費及び／又は前記対応する送信時間を評価するためのメカニズムを含む、請求項２５〜４５のいずれかに記載のノードＢ（ＮＢ）（１１）。
【請求項４７】
前記ＨＳＤＰＡスケジューラ（ＨＳ−Ｓ）は、
評価された前記電力消費及び／又は前記対応する送信時間を、前記ＨＳ−ＤＳＣＨを介する前記ＤＬのデータトラフィックについてのデータレートをスケジューリングする際に使用するためのメカニズム、
を含む、請求項２５〜４６のいずれかに記載のノードＢ（ＮＢ）（１１）。
【請求項４８】
前記電力消費及び／又は前記対応する送信時間の前記評価（４０３、４０４、６０４、６０８）に先立って、完了したＥ−ＤＣＨのスケジューリングの待ち受け（４０２、６０２）が行われる、請求項２５〜３８のいずれかに記載のノードＢ（ＮＢ）（１１）。
【請求項４９】
ダウンリンクＥ−ＤＣＨの電力使用量を分配するための通信システムであって、少なくとも１つのノードＢが、少なくとも１つのユーザ端末（ＵＥ）（１５）との間のワイヤレス通信を可能とするために前記通信システム内に配置され、
前記通信は、前記ユーザ端末（ＵＥ）（１５）と前記ノードＢ（ＮＢ）（１１）との間のアップリンク（ＵＬ）及びダウンリンク（ＤＬ）のデータトラフィックのための拡張専用伝送チャネル（Ｅ−ＤＣＨ）及び１つの高速ダウンリンク共有チャネル（ＨＳ−ＤＳＣＨ）を介して可能となり、
前記ノードＢ（ＮＢ）（１１）は、前記ＨＳ−ＤＳＣＨを介する前記ＤＬのデータトラフィックについてのデータレートをスケジューリングするためのＨＳＤＰＡスケジューラ（ＨＳ−Ｓ）と、Ｅ−ＤＣＨを介する前記ＵＬのデータトラフィックについての最大のデータレートをスケジューリングするためのＥＵＬスケジューラ（ＥＵＬ−Ｓ）とを含み、
前記通信システムは、
前記ノードＢ（ＮＢ）（１１）が、少なくとも１つのＥ−ＤＣＨ物理チャネル上における少なくとも１つの来るべきＥ−ＤＣＨ  ＤＬ送信についての電力消費及び／又は対応する送信時間を評価する（４０３、４０４、６０３、６０４、６０８、８０９、９０６、１０６、１１１）ためのメカニズムを含み、
前記ノードＢ（ＮＢ）（１１）が、Ｅ−ＤＣＨ  ＤＬ送信に先立って、評価された前記電力消費及び／又は前記対応する送信時間の情報を前記ＨＳＤＰＡスケジューラ（ＨＳ−Ｓ）へ送信する（４０３、４０５、６０３、６０９、８１１、９０８、１０８、１１２）ためのメカニズムをさらに含む、
ことを特徴とする、通信システム。
【発明の詳細な説明】
【技術分野】
【０００１】
本発明は、ダウンリンクＥ−ＤＣＨの電力使用量の分配のための方法、通信システム、及び通信システムにおけるノードＢに関する。
【背景技術】
【０００２】
セルラネットワークのためのブロードバンドキャパシティを有するワイヤレス技術を提供する必要性が増加している。良好なブロードバンドシステムは、高いデータレート及びキャパシティ、低いビット単価、良好なサービス品質、並びにより広いカバレッジのような、決められている基準を満たさなければならない。ＨＳＰＡ（High  Speed  Packet  Access）は、これを可能とするネットワークアクセス技術の一例である。
【０００３】
ＨＳＰＡは、第三世代（３Ｇ）の携帯電話技術である既存のＵＭＴＳ（Universal  Mobile  Communication  Systems）の性能を改良するプロトコルの集まりである。ＵＭＴＳは、移動体端末の形態のユーザ機器（ＵＥ）とノードＢ（ＮＢ）との間の無線ベースの通信のためのエアインタフェースとして、ＷＣＤＭＡ（Wideband  Code  Division  Multiple  Access）を使用する。ＷＣＤＭＡは、直接シーケンスＣＤＭＡ（Code  Division  Multiple  Access）のシグナリング方法を利用してさらなる高速化を実現し、より多くのユーザをサポートする、広帯域スペクトラム拡散のエアインタフェースである。
【０００４】
ＨＳＰＡは、ＷＣＤＭＡの不可欠な部分である。広域の移動体カバレッジには、ＨＳＰＡが提供され得る。それは追加のスペクトラム又はキャリアを必要としない。目下ＷＣＤＭＡは、同時の音声及びデータサービスを同じキャリア上のユーザに提供することができる。これはＨＳＰＡにも当てはまり、スペクトラムが効率的に使用され得ることを意味する。ある程度負荷のかかったシステムにおいて、ＨＳＰＡは大きなファイルをダウンロード及びアップロードするのにかかる時間を大幅に削減できることが、シミュレーションによって示されている。
【０００５】
ＨＳＰＡは、世界的規模のＷＣＤＭＡ運用者の移行パス（migration  path）を定義する技術のセットである。ＨＳＰＡファミリーにおけるＨＳＤＰＡ（High  Speed  Downlink  Packet  Access）及びＨＳＵＰＡ（High  Speed  Uplink  Packet  Access）という２つの既存の特徴は、改良された変調スキームを使用することによって、並びにハンドセット及びノードＢが通信するためのプロトコルを精緻化することによって、性能の向上をもたらしている。これらの改良によって、ＵＭＴＳによって提供される既存の無線帯域幅の利用がより良好になっている。
【０００６】
ＨＳＤＰＡ（High  Speed  Downlink  Packet  Access）は、ＨＳＰＡ内の第１の特徴である。それは、ＷＣＤＭＡ  ３ＧＰＰ（Third  Generation  Partnership  Project）リリース５の仕様及び全てのその後のリリースの一部である。ＨＳＤＰＡは新たなダウンリンク（ＤＬ）伝送チャネル―ＨＳ−ＤＳＣＨ（High  Speed  Downlink  Shared  Channel）―を提供し、それは高性能のパケットデータアプリケーションのためのサポートを強化している。新たなＭＡＣ（Medium  Access  Control）サブレイヤであるＭＡＣ−ｈｓ（高速）が導入され、これによって異なるリリースのＷＣＤＭＡからのレイヤ及びノード間の機能面での分離を可能とする。ＭＡＣ−ｈｓはＨＳ−ＤＳＣＨを処理する。
【０００７】
図１において、ＨＳＤＰＡ／ＨＳＵＰＡのネットワークの概観が示されている。ネットワークは、Ｉｕインタフェース上において少なくとも１つの無線ネットワークコントローラ（ＲＮＣ）１２との間で通信するコアネットワーク（ＣＮ）を含む。少なくとも１つのノードＢ（ＮＢ）１１は、ＥＵＬスケジューラユニット（ＥＵＬ−Ｓ）を含む。ＥＵＬスケジューラは、ＭＡＣ−ｅスケジューラとも表され、個々のＩｕｂインタフェース上において個々のＲＮＣとの間で通信する。ＨＳＵＰＡについては、後でより詳細に説明する。ノードＢは、ＨＳＤＰＡスケジューラ（ＨＳ−Ｓ）も含む。ＨＳＤＰＡスケジューラは、ＭＡＣ−ｈｓスケジューラとも表され、Ｉｕｂインタフェース上においてＲＮＣとの間で通信する。
【０００８】
次のＨＳＤＰＡチャネルは、エアインタフェース上において送信される：
―タイミング及び符号化情報を提供するＨＳ−ＳＣＣＨであって、それによってＵＥは正確な時間にＨＳ−ＰＤＳＣＨを聴くことが可能となり、正しい符号を使用してＵＥデータを成功裡に復号することが可能となる
―ＭＡＣ−ｈｓのペイロードを搬送するＨＳ−ＰＤＳＣＨ
―ＭＡＣ−ｈｓの制御シグナリングを搬送するＨＳ−ＤＰＣＣＨ
【０００９】
ＨＳＤＰＡは、共有チャネル及び多符号（multi-code）送信に基づく。これは、セル内におけるいくつかのチャネル符号及び送信電力が時間及び符号領域においてユーザ間で動的に共有される共通リソースとみなされていることを意味する。これは、ＷＣＤＭＡにおいて利用可能な符号及び電力リソースをより効率的に使用するためである。それは、１６ＱＡＭ（16  Quadrature  Amplitude  Modulation）を使用してより高いデータレートを提供する高次変調にも基づいている。ＨＳＤＰＡはさらに、ユーザ機器（ＵＥ）によって報告される無線状態に送信信号（transmission）が即座に適応される高速リンク適応（fast  link  adaptation）に基づいており、状態が許せば高次パラメータ変調を可能とする。
【００１０】
ＨＳＤＰＡにとっての別の基本原理は、高速ハイブリッド自動再送要求（ＨＡＲＱ：Hybrid  Automatic  Repeat  Request）である。ＵＥは、パケットを復号する際に異なる送信信号からの特定のデータパケットの情報を結合することができ、及び復号の状況をノードＢに対して示し、ノードＢは復号が失敗の場合パケットを再送信する。ＨＳＤＰＡにおいて、送信時間間隔（ＴＴＩ）は２ｍｓであり、これによってエンドユーザのアプリケーションについての往復遅延時間（ＲＴＴ：round  trip  time）が削減される。ＲＴＴは、パケットがユーザ機器（ＵＥ）から例えば別のユーザのＵＥへネットワークを横断して往復するのにかかる時間の指標（measure）である。
【００１１】
ＨＳ−ＤＳＣＨは、セル内において全てのユーザ間で共有されるチャネルである。他のチャネルと違ってＨＳ−ＤＳＣＨは、ノードＢ（ＮＢ）１１が各ＴＴＩについてどのユーザに対してデータを送信するべきかを決定するスケジューラ、ＭＡＣ−ｈｓスケジューラ（ＨＳ−Ｓ）を必要とする。加えてＭＡＣ−ｈｓスケジューラは、これら送信のレートも決定する。ＭＡＣ−ｈｓスケジューラにおいて実装される高速スケジューリングアルゴリズムは、最適なやり方でＨＳＤＰＡにおける共有リソースを利用する。
【００１２】
ＨＳＵＰＡ（High  Speed  Uplink  Packet  Access）は、ＨＳＰＡ内の第２の特徴である。それは、ＷＣＤＭＡ  ３ＧＰＰ（Third  Generation  Partnership  Project）リリース６の仕様の一部である。ＨＳＵＰＡは、拡張アップリンク（Enhanced  Uplink）とも呼ばれる。ＨＳＵＰＡにおいて新たなＭＡＣサブレイヤであるＭＡＣ−ｅが導入され、これによって異なるリリースのＷＣＤＭＡからのレイヤ及びノード間の機能面での分離を可能とする。ＨＳＵＰＡは、ＭＡＣ−ｅによって処理されるＥ−ＤＣＨ（Enhanced  Dedicated  CHannel）と呼ばれる新たなアップリンク（ＵＬ）伝送チャネルを提供する。ＨＳＵＰＡは、アップリンクのデータレートを増加させる。
【００１３】
ＨＳＵＰＡは、移動体ネットワーク上においてアップロードされるデータ、特にユーザによって生成されるコンテンツの量を著しく増加させる可能性をもたらす。データトラフィックの大部分がダウンリンク（ＤＬ）に向けられているものの、改良されたアップリンクから利益を得るであろうアプリケーションもかなり多く存在する。これらには、大きな電子メールの添付ファイル、写真、ビデオクリップ、ブログ等の送信が含まれる。ＨＳＵＰＡは拡張ＵＬとしても知られる。
【００１４】
拡張アップリンクの１つのコンセプトは多符号送信であり、Ｅ−ＤＣＨ伝送チャネルがいくつかのチャネライゼーション符号上において送信され、１つのＵＥについてのＥ−ＤＣＨのサイズを増加させ得ることを意味する。ＥＵＬの別のコンセプトは、ＵＬについて２又は１０ｍｓのより短いＴＴＩである。ＨＳＵＰＡもＨＡＲＱを使用する。ノードＢは、誤って受信したデータの再送信を要求し得る。ＨＳＤＰＡとは対照的に、ＨＳＵＰＡではソフトハンドオーバも可能である。
【００１５】
次のＨＳＵＰＡチャネルは、エアインタフェース上において送信される：
―ＭＡＣ−ｅスケジューラからＵＥに向けて絶対的使用権（absolute  grant）のシグナリングを搬送するＥ−ＡＧＣＨ
―相対的使用権（relative  grant）のシグナリングのためのＥ−ＲＧＣＨ
―ＵＥの送信したデータを復号するノードＢからの確認応答フィードバックを搬送するＥ−ＨＩＣＨ
―送信電力制御（ＴＰＣ：Transmit  Power  Control）コマンドを搬送する専用物理チャネル（ＤＰＣＨ：Dedicated  Physical  Channel）又は部分的ＤＰＣＨ（fractional  DPCH）
―ＭＡＣ−ｅのペイロードを搬送する拡張ＤＰＤＣＨ（Ｅ−ＤＰＤＣＨ：Enhanced  DPDCH）
―ＭＡＣ−ｅの制御シグナリングを搬送する拡張ＤＰＣＣＨ（Ｅ−ＤＰＣＣＨ：Enhanced  DPCCH）
【００１６】
ＨＳＵＰＡはまた、高速スケジューリングを使用してパケットデータ送信における“バースト性（burstiness）”を利用することによるＵＥ間の迅速なリソースの再割当てを可能とする。アップリンクのスケジューリングメカニズムの基本原理として、ＵＥがその送信において使用できる最大のＥ−ＤＰＤＣＨの電力を表すサービング使用権（serving  grant）を、ＵＥは維持する。利用可能なアップリンクの電力は、可能なデータレートを決定する。
【００１７】
絶対的使用権は、ノードＢのスケジューラが承認されるＵＥのレート（granted  rate）をその制御下で直接調節することを可能とする。それを使用して、サービング使用権は初期化される。相対的使用権を使用して、ＵＥのサービング使用権を付加的に調節する。スケジューリングへの入力として、ＵＥのフィードバックが要求される。ＵＥは、ＵＥにおけるバッファの状況及びスケジューリング要求、即ち“リソースの不足”／“十分なリソース”に関する詳細な情報を提供するスケジューリング情報を送信する可能性を有する。そのためノードＢのスケジューラは、適切にスケジューリングの決定を行うことができる。
【００１８】
端末が使用している共通アップリンクリソースの量は、使用されるデータレートに依存する。一般的にデータレートが高ければ高いほど、必要とされる送信電力は大きくなりそのためリソースの消費は高くなる。パケットデータアプリケーションは、典型的に、その性質上、リソースの要件が大きく速く変化するというバースト性を有する。そのため、いつどのレートでＵＥが送信するかを制御するＭＡＣ−ｅスケジューラの全体的な目標は、大きな干渉のピークを避けることによって安定したシステム運用を同時に確保しつつ、共有リソースの大部分を一時的に高いデータレートを要求しているユーザに割り当てることである。
【００１９】
ＨＳＤＰＡ／ＨＳＵＰＡのスケジューリングは、エアインタフェースに近接してノードＢ内に配置されるスケジューラ構成要素（ＭＡＣ−ｈｓ及びＭＡＣ−ｅスケジューラ）によって提供される。
【００２０】
ＭＡＣ−ｈｓ（ＨＳ−Ｓ）及びＭＡＣ−ｅ（ＥＵＬ−Ｓ）スケジューラの動作は、３ＧＰＰ標準において説明されていない。このスキームにおけるスケジューリングは、標準化を必要としない。加えて、スケジューリングは、運用者が自身の顧客に提供するサービスの種類に依存しており、それは運用者ごとに異なり得る。残りの（ＯＳＩ（Open  System  Interconnection）に係る）レイヤ２の処理及びレイヤ１の符号化のようなＨＳＤＰＡ及びＨＳＵＰＡのその他の部分は、３ＧＰＰにおいて詳細に説明されている。
【００２１】
既存のシステムにおいてスケジューラ（ＭＡＣ−ｈｓ、ＭＡＣ−ｅ又はその双方、のいずれか）は、目下の空中の無線状態、トラフィック特性、異なるユーザについてのキューにおける目下のデータ量、残りの電力、ユーザ機器（ＵＥ）１５のケイパビリティ、ユーザ間のプライオリティ、データがキューに保管されている期間、前回のデータ送信時の誤り等に基づいて、その決定を行い得る。これら情報のいくつかについてＭＡＣ−ｈｓ及びＭＡＣ−ｅスケジューラを支援するため、３ＧＰＰの記述によれば、ＵＥ１５は、経験している無線状態をチャネル品質インジケータ（ＣＱＩ）によりノードＢ（ＮＢ）１１’に報告しなければならない。ＵＥが受信する各データパケットについて、成功裡にデータを復号できたか否かについてのＨＡＲＱの確認応答／否定確認応答（ＮＡＣＫ／ＡＣＫ）の報告も提供される。
【００２２】
ＭＡＣ−ｈｓ（ＨＳ−Ｓ）スケジューラは、利用可能なＤＬの電力ヘッドルーム（利用可能なＷＣＤＭＡリソース）を利用してＨＳ−ＰＤＳＣＨをスケジューリングする。利用可能なＤＬの電力ヘッドルームが高い場合、高いエンドユーザの送信レートを提供し、又は複数のＵＥがデータを送信することを可能とする確率が高くなり、逆もまた同様であることは明らかである。
【００２３】
ＭＡＣ−ｅ（ＥＵＬ−Ｓ）及びＭＡＣ−ｈｓ（ＨＳ−Ｓ）スケジューラにおけるスケジューラアルゴリズムの詳細は、ノードＢ（ＮＢ）１１のベンダ固有であり、各ノードＢのスケジューリングの複雑性を予測することは非常に困難である。一方これらのアルゴリズムの詳細とは関係なく、ＭＡＣ−ｈｓスケジューラは、ノードＢの全てのベンダに著しい処理能力を要求する。特にＨＳＤＰＡの成功が念頭に置かれている。ユーザの量は増加する傾向にあり、ワイヤレスＨＳＤＰＡの品質の認知を全てのユーザ間で高く維持するために、スケジューリングはますます重要になるであろう。
【００２４】
このことを念頭に置くと、全てのノードＢ（ＮＢ）のベンダは、スケジューリング送信間隔に先立ってその処理アルゴリズムを開始するであろう。大概この間隔は、サポートされるＵＥの量及びスケジューリングアルゴリズムの複雑性に依存して、１つのＴＴＩから複数のＴＴＩまでとなり得る。
【００２５】
さらに電力ヘッドルーム、入力バッファデータ、及びＣＱＩパラメータのような入力パラメータがスケジューリング手続の間に変化する場合、スケジューリングタスクの複雑性は増大する。また、入力データが固定されなければならず変更不可となる時間帯もまた、厳密なスケジューリング送信間隔の前に存在するであろう。さらに、プリスケジューリング（pre-scheduling）が実行され得る期間が、上記時間帯の前に存在し得ることも理解されるであろう。
【００２６】
ＭＡＣ−ｈｓスケジューラと同様、ＭＡＣ−ｅスケジューラも実際のＥ−ＡＧＣＨ及びＥ−ＲＧＣＨ送信より前にスケジューリングタスクを開始しなければならない。
【００２７】
図２は、ｍで表される１つのＨＳＤＰＡ送信機会２０２についてのスケジューリング時間２０１を示している。送信はＨＳ−ＤＳＣＨチャネル上である。これは各ＴＴＩについて繰り返される。ここでノードＢのＥＵＬ部分においてスケジューリング時間が開始するとき、報告されるＤＬ  Ｅ−ＤＣＨの電力使用量はゼロであると仮定する。これは、スケジューリング時間２０１の期間の開始において、Ｅ−ＤＣＨ送信が行われていなかったためである。このときＭＡＣ−ｈｓスケジューラ（ＨＳ−Ｓ）は、残り全ての電力が時間ｍ２０２におけるＨＳＤＰＡの送信のために想定されるように送信をスケジューリングする。
【００２８】
さらにＭＡＣ−ｅスケジューラ（ＨＳ−Ｓ）は、時間ｍ２０２と同時に起こるＥ−ＡＧＣＨをスケジューリングすると仮定する。ＤＬの電力ヘッドルームがスケジューリングされる送信のために不十分であると結論付けられる可能性があり、結果的にノードＢ（ＮＢ）１１の送信したＨＳ−ＤＳＣＨデータをＵＥ１５が復号できない可能性が高い。
【発明の概要】
【発明が解決しようとする課題】
【００２９】
従って、本発明の目的は、より高い帯域幅及び／又はより低い待ち時間をエンドユーザに提供するために、ＨＳＤＰＡの送信をスケジューリングする際に利用可能なＤＬの電力ヘッドルームに関してより豊富な知識をＭＡＣ−ｈｓスケジューラにおいて獲得することである。
【課題を解決するための手段】
【００３０】
これは、通信システムにおけるダウンリンクＥ−ＤＣＨの電力使用量を分配するための方法によって解決される。上記システムは、少なくとも１つのユーザ端末（ＵＥ）との間のワイヤレス通信を可能とするための少なくとも１つのノードＢ（ＮＢ）を含む。上記通信は、上記ユーザ端末（ＵＥ）と上記ノードＢ（ＮＢ）との間のアップリンク（ＵＬ）及びダウンリンク（ＤＬ）のデータトラフィックのための、拡張専用伝送チャネル（Ｅ−ＤＣＨ：enhanced  dedicated  transport  channel）及び１つの高速ダウンリンク共有チャネル（ＨＳ−ＤＳＣＨ：high  speed  downlink  shared  channel）を介して可能となる。上記ノードＢ（ＮＢ）は、上記ＨＳ−ＤＳＣＨを介する上記ＤＬのデータトラフィックについてのデータレートをスケジューリングするためのＨＳＤＰＡスケジューラ（ＨＳ−Ｓ）を含む。それは、Ｅ−ＤＣＨを介する上記ＵＬのデータトラフィックについての最大のデータレートをスケジューリングするためのＥＵＬスケジューラ（ＥＵＬ−Ｓ）をさらに含む。
【００３１】
上記方法は、上記ノードＢ（ＮＢ）が、少なくとも１つのＥ−ＤＣＨ物理チャネル上における少なくとも１つの来るべきＥ−ＤＣＨ  ＤＬ送信についての上記電力消費及び／又は上記対応する送信時間を評価することを、特に特徴とする。上記ノードＢ（ＮＢ）は、Ｅ−ＤＣＨ  ＤＬ送信に先立って上記ＨＳＤＰＡスケジューラ（ＨＳ−Ｓ）に対して評価された上記電力消費及び／又は上記対応する送信時間の情報を送信する。
【００３２】
それはまた、ダウンリンクＥ−ＤＣＨの電力使用量を分配するためのノードＢ（ＮＢ）によって解決される。上記ノードＢは、少なくとも１つのユーザ端末（ＵＥ）との間のワイヤレス通信を可能とするために通信システム内に配置される。上記通信は、上記ユーザ端末（ＵＥ）と上記ノードＢ（ＮＢ）との間のアップリンク（ＵＬ）及びダウンリンク（ＤＬ）のデータトラフィックのための拡張専用伝送チャネル（Ｅ−ＤＣＨ）及び１つの高速ダウンリンク共有チャネル（ＨＳ−ＤＳＣＨ）を介して可能となる。上記ノードＢ（ＮＢ）は、上記ＨＳ−ＤＳＣＨを介する上記ＤＬのデータトラフィックについてのデータレートをスケジューリングするためのＨＳＤＰＡスケジューラ（ＨＳ−Ｓ）を含む。それは、Ｅ−ＤＣＨを介する上記ＵＬのデータトラフィックについての最大のデータレートをスケジューリングするためのＥＵＬスケジューラ（ＥＵＬ−Ｓ）をさらに含む。
【００３３】
上記ノードＢ（ＮＢ）は、少なくとも１つのＥ−ＤＣＨ物理チャネル上における少なくとも１つの来るべきＥ−ＤＣＨ  ＤＬ送信についての上記電力消費及び／又は上記対応する送信時間を評価するためのメカニズムを特に含む。上記ノードＢ（ＮＢ）は、Ｅ−ＤＣＨ  ＤＬ送信に先立って、評価された上記電力消費及び／又は上記対応する送信時間の情報を上記ＨＳＤＰＡスケジューラ（ＨＳ−Ｓ）へ送信するためのメカニズムをさらに含む。
【００３４】
最後にそれは、ダウンリンクＥ−ＤＣＨの電力使用量を分配するための通信システムによって解決される。少なくとも１つのノードＢが、少なくとも１つのユーザ端末（ＵＥ）（１５）との間のワイヤレス通信を可能とするために上記通信システム内に配置される。上記通信は、上記ユーザ端末（ＵＥ）と上記ノードＢ（ＮＢ）との間のアップリンク（ＵＬ）及びダウンリンク（ＤＬ）のデータトラフィックのための拡張専用伝送チャネル（Ｅ−ＤＣＨ）及び１つの高速ダウンリンク共有チャネル（ＨＳ−ＤＳＣＨ）を介して可能となる。上記ノードＢ（ＮＢ）は、上記ＨＳ−ＤＳＣＨを介する上記ＤＬのデータトラフィックについてのデータレートをスケジューリングするためのＨＳＤＰＡスケジューラ（ＨＳ−Ｓ）を含む。それは、Ｅ−ＤＣＨを介する上記ＵＬのデータトラフィックについての最大のデータレートをスケジューリングするためのＥＵＬスケジューラ（ＥＵＬ−Ｓ）をさらに含む。
【００３５】
上記ノードＢ（ＮＢ）は、少なくとも１つのＥ−ＤＣＨ物理チャネル上における少なくとも１つの来るべきＥ−ＤＣＨ  ＤＬ送信についての上記電力消費及び／又は上記対応する送信時間を評価するためのメカニズムを特に含む。上記ノードＢ（ＮＢ）は、Ｅ−ＤＣＨ  ＤＬ送信に先立って、評価された上記電力消費及び／又は上記対応する送信時間の情報を上記ＨＳＤＰＡスケジューラ（ＨＳ−Ｓ）へ送信するためのメカニズムをさらに含む。
【発明の効果】
【００３６】
ＨＳＤＰＡスケジューラにおいて利用可能なＤＬの電力ヘッドルームに関してより正確な知識によって、エンドユーザがより高い帯域幅及び／又はより低い待ち時間を認知するであろう確率が高くなる。利用可能なＤＬの電力ヘッドルームは、ＭＡＣ−ｈｓスケジューラによってより効率的に使用され得る。これは、Ｅ−ＤＣＨ送信がすぐに変化する場合、例えば先行技術にあるような測定値が実際の電力の利用と異なり得る場合に特に役立つ。またこれによって、電波上においてより大きな伝送ブロックが選ばれ、それによってセル及びユーザ両方のスループットが改善される可能性が増加するであろう。どの電力レベルがＥ−ＤＣＨ物理チャネル上におけるＤＬ送信のために使用されたかをＨＳＤＰＡスケジューラに通知する代わりに、ＥＵＬスケジューラは来るべき電力レベルについて通知する。
【００３７】
さらなる利点は、詳細な説明における実施形態について示されるであろう。
【図面の簡単な説明】
【００３８】
以下の文章において、添付の図面を参照して本発明を詳細に説明する。これらの図面は例示のためにのみ使用され、本発明の範囲を一切限定しない。
【００３９】
【図１】ＨＳＵＰＡ／ＨＳＤＰＡのネットワークの概観を示す。
【図２】１つのＨＳＤＰＡ送信機会についてのスケジューリング時間を示す。
【図３】本発明の第１及び第２の実施形態についての第１のフロー図を示す。
【図４】本発明の第１の実施形態についての第２のフロー図を示す。
【図５】本発明の第２の実施形態についての第２のフロー図を示す。
【図６】本発明の第２の実施形態についての第３のフロー図を示す。
【図７】本発明の第３、第４、及び第５の実施形態に係るＥ−ＨＩＣＨの電力評価を示す。
【図８】本発明の第３の実施形態についてのフロー図を示す。
【図９】本発明の第４の実施形態についてのフロー図を示す。
【図１０】本発明の第５の実施形態についてのフロー図を示す。
【図１１】本発明の全般的なコンセプトにわたるフロー図を示す。
【発明を実施するための形態】
【００４０】
ここで、詳細な説明において説明され、図面において示される実施形態を参照して、本発明を詳細に説明する。以下で説明されるさらなる進歩を伴う本発明の実施形態は、単なる例としてみなさるべきであり、本特許の特許請求の範囲によって提供される保護の範囲を全く限定するものではない。
【００４１】
本発明は、ダウンリンク（ＤＬ）Ｅ−ＤＣＨの電力使用量の分配のための方法、通信システム、及び通信システムにおけるノードＢに関する。ノードＢ及び通信システムは、方法内で記述されるような方法ステップを実行するためのメカニズムを含む。そのためノードＢ及び通信システムが方法ステップを実行するという事実は、詳細な説明において説明される方法の実施形態が、ここに詳細に説明されなくても当該メカニズムを含むノードＢ及び通信システムも含むことを意味することを、当業者は理解するべきである。
【００４２】
図１は、ＨＳＵＰＡ／ＨＳＤＰＡのネットワークの概観を示す。ユーザ端末（ＵＥ）１５は、少なくとも１つのノードＢ（ＮＢ）１１を介してコアネットワーク（ＣＮ）との間で通信する。無線ネットワークコントローラ（ＲＮＣ）１２は、Ｅ−ＤＣＨ及びＨＳ−ＤＳＣＨを確立し、それによりユーザ端末とノードＢとの間のアップリンク及びダウンリンクのデータトラフィックが可能となる。少なくとも１つのノードＢ１１は、ネットワーク内に存在する（図を参照）。本発明は、ネットワーク内の少なくとも１つのノードＢにおけるアクティビティに焦点を合わせる。
【００４３】
ＨＳＤＰＡについて、ソフトハンドオーバはサポートされておらず、このことはＵＥ１５が一度に１つのＨＳＤＰＡスケジューラのコンテキストにおいてのみ存在し得ることを意味する。Ｅ−ＤＣＨについて、ソフトハンドオーバはサポートされており、このことは特定のＵＥが同時に異なるＥＵＬスケジューラのコンテキストに存在し得ることを意味する。
【００４４】
以下の説明文章はユーザ端末（ＵＥ）１５との往復のトラフィックを説明するものであることに留意されたい。但し、１つのユーザ端末との往復のトラフィックは１つ又は複数のキュー（例えば複数のＭＡＣ−ｄフロー）からのものであってよいことを、当業者は理解するであろう。
【００４５】
本発明は、通信システムにおけるダウンリンク（ＤＬ）Ｅ−ＤＣＨの電力使用量の分配のための方法に関する。システムは、少なくとも１つのユーザ端末（ＵＥ）１５との間のワイヤレス通信を可能とするために、少なくとも１つの無線ネットワークコントローラ（ＲＮＣ）１２、及び少なくとも１つのノードＢ（ＮＢ）１１を含む（図１を参照）。
【００４６】
通信は、ユーザ端末（ＵＥ）（１５）とノードＢ（ＮＢ）１１との間のアップリンク（ＵＬ）及びダウンリンク（ＤＬ）のデータトラフィックのための拡張専用伝送チャネル（Ｅ−ＤＣＨ：enhanced  dedicated  transport  channel）及び１つの高速ダウンリンク共有チャネル（ＨＳ−ＤＳＣＨ：high  speed  downlink  shared  channel）を介して可能となる。システムにおけるＲＮＣ１２は、Ｅ−ＤＣＨ及びＨＳ−ＤＳＣＨを確立し、それにより通信が可能となる。
【００４７】
ノードＢ（ＮＢ）１１は、ＨＳ−ＤＳＣＨを介するＤＬのデータトラフィックについてのデータレートをスケジューリングするＨＳＤＰＡスケジューラ（ＨＳ−Ｓ）を含む。ＨＳＤＰＡスケジューラは、毎回新たな２ｍｓの送信時間間隔（ＴＴＩ）の前に（ＥＵＬにおいては２及び１０ｍｓ両方のＴＴＩが存在する一方、ＨＳＤＰＡにおいては２ｍｓＴＴＩのみ存在する）ノードＢにおいてどのユーザ端末に対するＤＬデータをキューに入れるかを制御する。その後スケジューラは、どのＵＥ又はＵＥ群が最初にデータを受信するべきかを決定する。まずスケジューラは、どのＵＥ１５にデータが提供されるかをＨＳ−ＳＣＣＨチャネルを介してシグナリングする（図１を参照）。次にデータトラフィックは、ＨＳ−ＰＤＳＣＨチャネル上を送信される。これは、毎回新たなＴＴＩの前に実行される。その結果、ＨＳＤＰＡスケジューラは、毎回新たなＴＴＩについてデータレートをアクティブに制御する。
【００４８】
一方、ＥＵＬスケジューラ（ＥＵＬ−Ｓ）は、Ｅ−ＤＣＨを介するＵＬのデータトラフィックについての最大のデータレートをスケジューリングする。実際には、データレートは、アップリンク送信についての電力レートによってスケジューリングされる。ＥＵＬ−Ｓは、ノードＢ１１の一部である。これは、それが例えばＨＳＵＰＡにおけるＷＣＤＭＡといったエアインタフェースに近いことを意味する。それは、要求−使用権（request-grant）の原理に基づいて作用する。ユーザ端末（ＵＥ）１５はデータを送信する許可を要求し、スケジューラはいつどれくらいのデータをユーザ端末が送信すること（最大のデータレート）を許可されるか、及びそうすることが許可されることになるユーザ端末の数も決定する。ＥＵＬ−Ｓはユーザ端末に対するＥ−ＡＧＣＨ／Ｅ−ＲＧＣＨの使用権の送信をトリガするが、Ｅ−ＡＧＣＨ／Ｅ−ＲＧＣＨの復号及び実際の送信は、ノードＢ内において処理される。
【００４９】
ＨＳＵＰＡは、ＭＡＣ−ｅによって処理される拡張専用チャネル（Ｅ−ＤＣＨ：Enhanced  Dedicated  CHannel）と呼ばれる新たなアップリンク（ＵＬ）伝送チャネルを提供する。ＨＳＵＰＡは、アップリンクのデータレートを増加させる。ＨＳＵＰＡチャネルは、次のとおりである：（１）ＭＡＣ−ｅスケジューラからＵＥに向けて絶対的使用権のシグナリングを搬送するＥ−ＡＧＣＨ、（２）相対的使用権のシグナリングのためのＥ−ＲＧＣＨ；ＵＥの送信したデータを復号するノードＢからの確認応答フィードバックを搬送するＥ−ＨＩＣＨ、（３）送信電力制御（ＴＰＣ）コマンドを搬送する専用物理チャネル（ＤＰＣＨ）又は部分的ＤＰＣＨ、（４）ＭＡＣ−ｅのペイロードを搬送する拡張ＤＰＤＣＨ（Ｅ−ＤＰＤＣＨ）、及び（５）ＭＡＣ−ｅの制御シグナリングを搬送する拡張ＤＰＣＣＨ（Ｅ−ＤＰＣＣＨ）。
【００５０】
ＨＳＵＰＡはまた、高速スケジューリングを使用してパケットデータ送信における“バースト性”を利用することによるＵＥ間の迅速なリソースの再割当てを可能とする。アップリンクのスケジューリングメカニズムの基本原理として、ＵＥがその送信において使用できる最大のＥ−ＤＰＤＣＨの電力を表すサービング使用権を、ＵＥは維持する。利用可能なアップリンクの電力は、可能なデータレートを決定する。Ｅ−ＨＩＣＨは、アップリンクＥ−ＤＣＨのハイブリッドＡＲＱ確認応答インジケータを伝達するダウンリンク物理チャネルである。それはノードＢ１１によって使用され、ＨＡＲＱのＮＡＣＫ／ＡＣＫメッセージをＵＥ１５に送り返す。
【００５１】
ＥＵＬ−Ｓ及びＨＳ−Ｓは、処理をよりエアインタフェースに近付け、無線リンクの状況により速く対処できるように、ノードＢ１１（ＮＢ）内に配置されている。スケジューラの特有のタスクは、アップリンク及びダウンリンクのユーザ端末１５が使用しているリソースの復号及び符号化を制御することである。
【００５２】
スケジューリングによって、システムがより多くの高いデータレートのユーザを許可し、及びセル内の干渉の変化に迅速に適応することが可能となる。これにより、キャパシティ及びユーザが高いデータレートを経験するであろう可能性の両方が増加する。それによって、セルの干渉がセル内を不安定に（disturbance）するほど高くならないようにシステムが制御することも可能となる。スケジューリングの詳細は、既存のソリューションから知られており、本発明の一部ではないため、本文書でさらに説明されることはない。
【００５３】
ＭＡＣ−ｈｓスケジューラ（ＨＳ−Ｓ）は、ノードＢの全てのベンダに著しい処理能力を要求する。特にＨＳＤＰＡの成功を念頭に置くと、ワイヤレスＨＳＤＰＡの品質の認知を全てのユーザ間で高く維持するために、スケジューリングはますます重要になるであろう。ＭＡＣ−ｈｓスケジューラは、スケジューリング送信間隔に先立ってその処理アルゴリズムを開始するであろう。大概この間隔は、サポートされるＵＥの量及びスケジューリングアルゴリズムの複雑性に依存して、１つのＴＴＩから複数のＴＴＩまでとなり得る。
【００５４】
従って、入力データが固定されなければならず変更不可となる時間帯（スケジューリング時間）が、厳密なスケジューリング送信間隔の前に存在するであろう。ＭＡＣ−ｈｓスケジューラと同様、ＭＡＣ−ｅスケジューラ（ＥＵＬ−ｓ）も実際のＥ−ＡＧＣＨ及びＥ−ＲＧＣＨ送信より前にそのスケジューリングタスクを開始しなければならない。ここでノードＢのＥＵＬ部分においてスケジューリング時間が開始するとき、報告されるＤＬ  Ｅ−ＤＣＨの電力使用量はゼロであると仮定する。これは、スケジューリング時間の期間の開始において、Ｅ−ＤＣＨ送信が行われていなかったためである。このときＭＡＣ−ｈｓスケジューラ（ＨＳ−Ｓ）は、残り全ての電力が時間ｍにおけるＨＳＤＰＡの送信のために想定されるように、送信をスケジューリングする。
【００５５】
さらにＭＡＣ−ｅスケジューラ（ＨＳ−Ｓ）は、時間ｍと同時に起こるＥ−ＡＧＣＨをスケジューリングすると仮定する。問題を如何に解決するかについての詳細はベンダによって異なるが、ＤＬの電力ヘッドルームがスケジューリングされる送信のために不十分であると結論付けられる可能性があり、結果的にノードＢ（ＮＢ）１１の送信したＨＳ−ＤＳＣＨデータをＵＥ１５が復号できない可能性が高い。
【００５６】
これら問題を解決するために、ノードＢ（ＮＢ）１１が少なくとも１つのＥ−ＤＣＨ物理チャネル上における少なくとも１つの来るべき（forthcoming）Ｅ−ＤＣＨ  ＤＬ送信についての電力消費及び／又は対応する送信時間を評価する（４０３、４０４、６０３、６０４、６０８、８０９、９０６、１０６、１１１）ことを、本発明は特徴としている。その後ノードＢ（ＮＢ）は、Ｅ−ＤＣＨ  ＤＬ送信に先立ってＨＳＤＰＡスケジューラ（ＨＳ−Ｓ）に対して評価された電力消費及び／又は対応する送信時間の情報を送信する（４０３、４０５、６０３、６０９、８１１、９０８、１０８、１１２）。Ｅ−ＤＣＨ  ＤＬ送信は、ＵＥ又はＵＥ群１５に通知するために任意のＥ−ＤＣＨ物理チャネル上においてノードＢ（ＥＵＬ−Ｓ）によって実行される送信である。
【００５７】
図１１は、本発明の全般的なコンセプトにわたるフロー図を示す。ボックス１１１において、電力消費及び／又は対応する送信時間が評価され、一方ボックス１１２において、情報がＨＳＤＰＡスケジューラ（ＨＳ−Ｓ）に対して送信される。来るべき送信の期間についてのＥ−ＤＣＨ物理チャネル（Ｅ−ＡＧＣＨ、Ｅ−ＲＧＣＨ、及びＥ−ＨＩＣＨ）の評価されたＤＬの電力消費及び／又は対応する送信時間は、実際のＥ−ＤＣＨ送信に先立ってＨＳＤＰＡスケジューラ（ＨＳ−Ｓ）に対して報告され、ＨＳＤＰＡスケジューラ（ＨＳ−Ｓ）は利用可能なＤＬの電力ヘッドルームをＭＡＣ−ｈｓのスケジューリングのために使用する。図４、６、８、９、及び１０において示される様々な実施形態との関連で、評価は説明される。
【００５８】
ＨＳＤＰＡスケジューラにおいて利用可能なＤＬの電力ヘッドルーム及び／又は対応する送信時間に関してより正確な知識によって、エンドユーザがより高い帯域幅及び／又はより低い待ち時間を認知するであろう確率が高くなる。利用可能なＤＬの電力ヘッドルームは、ＭＡＣ−ｈｓスケジューラによってより効率的に使用され得る。これは、Ｅ−ＤＣＨ送信がすぐに変化する場合、例えば先行技術にあるような測定値が実際の電力の利用と異なり得る場合に特に役立つ。またこれによって、電波上においてより大きな伝送ブロックが選ばれ、それによってセル及びユーザ両方のスループットが改善される可能性が増加するであろう。どの電力レベルがＥ−ＤＣＨ物理チャネル上におけるＥ−ＤＣＨ  ＤＬ送信のために使用されたかをＨＳＤＰＡスケジューラに通知する代わりに、ＥＵＬスケジューラは来るべき電力レベルについて通知する。
【００５９】
ノードＢ（ＮＢ）１１内のＥＵＬスケジューラ（ＥＵＬ−Ｓ）は、評価された電力消費及び／又は対応する送信時間の情報を送信し得る。それは、代替案としてノードＢ（ＮＢ）１１内においてＥＵＬスケジューラ（ＥＵＬ−Ｓ）の外部に配置される別の構成要素から送信されてもよい。さらにＥＵＬスケジューラ（ＥＵＬ−Ｓ）が、電力消費及び／又は対応する送信時間を評価し得るか、又はノードＢ（ＮＢ）１１内においてＥＵＬスケジューラ（ＥＵＬ−Ｓ）の外部に配置される他の構成要素が、電力消費及び／又は対応する送信時間を評価し得る。他の構成要素は、ＥＵＬスケジューラと同じノードＢ（ＮＢ）１１内に好適に配置される。
【００６０】
これは、評価をＥＵＬスケジューラ（ＥＵＬ−Ｓ）によって実行することができ、及び評価された電力消費及び／又は対応する送信時間の情報を他の構成要素から送信することができること、又はその逆も意味する。使用されたＤＬ電力の知識又は評価されたＤＬ電力の使用は、対応する送信時間と共にＥＵＬスケジューラの外部に結果的に配置される可能性があり、そのためこの情報は、Ｅ−ＤＣＨの物理チャネル／チャネル群（Ｅ−ＡＧＣＨ、Ｅ−ＲＧＣＨ、及びＥ−ＨＩＣＨ）についてのＤＬ電力の状況を知っている任意の構成要素からＨＳＤＰＡスケジューラに向けて送信されるべきである。
【００６１】
ノードＢ（ＮＢ）１１は、１つより多くのＥ−ＤＣＨ  ＤＬ送信についての電力消費及び／又は対応する送信時間を評価し得る。来るべきという単語の意味がスケジューリングメカニズムに依存すること、即ち一度に１つの送信間隔についてのスケジューリングが行われる場合、来るべきとは次の送信間隔を意味し、またいくつかの送信間隔についてのスケジューリングが行われる場合、来るべきとは同じ量の送信間隔を意味することを、当業者は理解するであろう。
【００６２】
Ｅ−ＡＧＣＨ及びＥ−ＲＧＣＨ上の送信及び対応する電力使用量は、（送信前のどこかの時点で）スケジューリングの決定がされ次第、知得される。そのためノードＢ（ＮＢ）１１は、ＥＵＬスケジューラ（ＥＵＬ−Ｓ）がスケジューリングの決定をすると間もなく、電力消費及び／又は対応する送信時間の情報を収集することによって、拡張絶対的使用権チャネル（Ｅ−ＡＧＣＨ）及び／又は拡張相対的使用権チャネル（Ｅ−ＲＧＣＨ）上の電力消費及び／又は対応する送信時間を評価し得る（４０３、６０３）（図４及び６を参照）。評価された電力消費及び／又は対応する送信時間の情報はその後、ＨＳＤＰＡスケジューラ（ＨＳ−Ｓ）に対して送信される。
【００６３】
Ｅ−ＤＣＨスケジューラは、ＨＳＤＰＡスケジューラ（ＨＳ−Ｓ）に対してＥ−ＡＧＣＨ及びＥ−ＲＧＣＨの電力情報及び対応する送信時間を継続的に送信する。上述したように、例えば、時間ｙにおいてＥ−ＡＧＣＨをＵＥ１５、ＵＥｘに対して、又は時間ｗにおいてＥ−ＲＧＣＨをＵＥ、ＵＥｚに対して、などのように、Ｅ−ＤＣＨ  ＤＬ送信信号を送信する‘決定がされ’次第、Ｅ−ＡＧＣＨ及びＥ−ＲＧＣＨの情報の対応する電力及び送信時間の情報が送信され得る。Ｅ−ＡＧＣＨ及びＥ−ＲＧＣＨの電力レベルを設定するためのアルゴリズムは、本発明の範囲に入らない。
【００６４】
Ｅ−ＨＩＣＨの電力使用量は、実際の送信のごく直前に知られ、これについては後述される実施形態のいずれかに係る評価が使用されるであろう。これら実施形態は図３〜１０においても示されている。
【００６５】
第１及び第２の実施形態に従って（図４及び６を参照）、ノードＢ（ＮＢ）１１は、電力消費についての第１の平均値を計算することによって、Ｅ−ＤＣＨのハイブリッド自動再送要求（ＨＡＲＱ）確認応答インジケータチャネル（Ｅ−ＨＩＣＨ）上の電力消費を評価する（４０４、６０４）。これは、Ｅ−ＤＣＨのスケジューリングが完了してから行われる（４０２、６０２）。ノードＢ（ＮＢ）は、Ｅ−ＨＩＣＨのＥ−ＤＣＨ  ＤＬ送信についての記憶されているＥ−ＨＩＣＨの電力消費値及び対応する送信時間の情報を使用して第１の平均値を計算する。
【００６６】
第１及び第２の実施形態の両方において（図３を参照）、ノードＢ（ＮＢ）１１は、Ｅ−ＨＩＣＨチャネル上でＥ−ＤＣＨ  ＤＬ送信が行われるのを検出すると、Ｅ−ＤＣＨ  ＤＬ送信についてのＥ−ＨＩＣＨの電力消費値及び対応する送信時間の情報を記憶する（３０３）。ノードＢはＥ−ＨＩＣＨ上でいつ送信が行われるかを検出し、電力消費はタイムスタンプと共にリストに記憶される。
【００６７】
なお、ノードＢは、１つより多くのセル上でＥ−ＨＩＣＨを送信してもよい。ＤＬの電力ヘッドルームのスケジューリングは、ＨＳＤＰＡスケジューラ（ＨＳ−Ｓ）及びＥＵＬスケジューラ（ＥＵＬ−Ｓ）の両方においてセル毎に行われることを、当業者は理解するであろう。
【００６８】
第２の実施形態において（図６を参照）、否定確認応答／確認応答（ＮＡＣＫ／ＡＣＫ）の割合のスライディング平均も含むことによって、Ｅ−ＨＩＣＨ上の電力消費についての第１の平均値の評価がバイアスされ又は補償（compensate）される。ＮＡＣＫ及びＡＣＫの平均は、同じ平均期間を利用すべきである。より短い平均期間を伴うＮＡＣＫ／ＡＣＫの割合も含まれる。第２の実施形態では、近傍のノードＢにより送信についての確認応答がなされなければ、送信されるＮＡＣＫによってＵＥからの再送信が生じるであろうという、単純な知識が利用される。ノードＢは、ＵＥがソフトハンドオーバの状態にあるか否か（即ち、ＲＮＣ  ＲＩＰＵ（Radio  Interface  Parameter  Update）制御シグナリングを予定しているか）の知識を有していることを、当業者は理解するであろう。
【００６９】
特に第２の実施形態において、Ｅ−ＨＩＣＨについての電力消費についての第１の平均値が計算されると、ノードＢ（ＮＢ）１１は次のステップを実行することによって電力消費を評価する（６０８）：
１．第１の時間帯について、Ｅ−ＨＩＣＨの否定ＡＣＫ（ＮＡＣＫ）と確認応答（ＡＣＫ）との間の割合についての第２の平均値を計算するステップ（６０５）。
２．第１の時間帯よりも短い第２の時間帯について、Ｅ−ＨＩＣＨの否定ＡＣＫ（ＮＡＣＫ）と確認応答（ＡＣＫ）との間の割合についての第３の平均値を計算するステップ（６０６）。
３．Ｅ−ＨＩＣＨの否定ＡＣＫ（ＮＡＣＫ）と確認応答（ＡＣＫ）との間の割合についての第２の平均値及び第３の平均値間の割合を使用して、Ｅ−ＨＩＣＨについての電力消費についての第１の平均値をバイアスし又は補償するステップ（６０７）。
【００７０】
例えば、第２の平均値の割合が１よりも高い場合は１より高い補償ファクタが使用され、割合が１よりも低い場合はその逆となる。
【００７１】
この第２の実施形態における第１の時間帯は、第１の平均値の計算（６０４）についての時間帯と同じである。第２の実施形態におけるステップ６０８をもって、第１及び第２の時間帯についての第２及び第３の平均値間の異なる割合が比較される。これにより、第１の平均値を使用して計算される電力（４０４、６０４）が重み付けされ得るという利点がもたらされる。
【００７２】
第２の実施形態において、ノードＢ（ＮＢ）１１は、Ｅ−ＤＣＨ  ＤＬ送信についての記憶されているＥ−ＨＩＣＨのＡＣＫ又はＮＡＣＫの電力消費の送信試行値（transmit  attempt  values）及び対応する送信時間の情報を使用して第１の平均値を計算する（６０４）（図５を参照）。ノードＢ（ＮＢ）は、Ｅ−ＨＩＣＨチャネル上でＥ−ＤＣＨ  ＤＬ送信が行われるのを検出すると、Ｅ−ＤＣＨ  ＤＬ送信についてのＥ−ＨＩＣＨのＡＣＫ又はＮＡＣＫいずれかの電力消費値及び対応する送信時間の情報を記憶する（５０４、５０５）。ノードＢは、Ｅ−ＨＩＣＨ上でいつ送信が行われるかを検出し、電力消費はタイムスタンプと共にリストに記憶される。なお、ノードＢは、１つより多くのセル上でＥ−ＨＩＣＨを送信してもよいこと。スケジューリング及び送信電力の評価は、セル毎に行われる。
【００７３】
第１及び第２の実施形態の両方において（図４及び６を参照）、ノードＢ（ＮＢ）１１は、ＨＳＤＰＡスケジューラ（ＨＳ−Ｓ）に対してＥ−ＨＩＣＨについての電力消費についての第１の平均値又はバイアスされた第１の平均値を送信することで、評価された電力消費を最終的に送信する（４０５、６０９）。電力消費の評価（４０３、４０４、６０４、６０８）に先立って、完了したＥ−ＤＣＨのスケジューリングを待ち受ける（４０２、６０２）。
【００７４】
ノードＢが電力消費及び／又は対応する送信時間を評価し及び送信するという事実は、ノードＢが情報の一部を少なくとも評価し及び送信することを意味する。最も重要なことは、何かが起こりそうであることをそのＨＳＤＰＡスケジューラに通知し、ＤＬ送信をスケジューリングする際にスケジューラがこれを考慮することができるようにすることである。
【００７５】
ステップ４０３及び６０３に含まれる情報、即ちＥ−ＡＧＣＨ及びＥ−ＲＧＣＨの情報は、１つより多くのＨＳＤＰＡ送信機会（ステップ２０２）に影響を及ぼすであろうＥ−ＤＣＨ  ＤＬ送信を表し得ることを、当業者は理解するであろう。例えば、ＥＵＬ−Ｓスケジューラが、２ｍｓよりも長い時間についてのＥ−ＤＣＨ  ＤＬ送信をスケジューリングする場合についてである。実際のＥＵＬ−Ｓのスケジューリングの決定がスケジューリング時間（ステップ２０１）の開始と同時に起こらないこともあり得る。上記の状況はいずれもＥ−ＲＧＣＨ及びＥ−ＡＧＣＨについての実際の送信時間は固定されていることを表しているが、上記情報は、対応するＨＳＤＰＡの送信時間に合致しなければ役に立たない。
【００７６】
ステップ４０３及び６０３に含まれる情報は、対応するＨＳＤＰＡのスケジューリング時間（ステップ２０１）の開始まで、即ちＨＳＤＰＡ送信機会（ステップ２０２）と同時にＥ−ＤＣＨ  ＤＬ送信が起こるまで、ＥＵＬ−Ｓ内に記憶され又はバッファされ得ることを、当業者は理解するであろう。ＨＳ−Ｓのスケジューリング時間（２０１）の開始まで情報を記憶することによって、Ｅ−ＡＧＣＨ及びＥ−ＲＧＣＨの電力設定のためのアルゴリズムはより長く動作し得る。
【００７７】
第３、第４、及び第５の実施形態において（図８〜１０を参照）、Ｅ−ＤＰＣＣＨ及び最終的にＥ−ＤＰＤＣＨは検出され、ＨＳＤＰＡのスケジューリングヘッドルームを導出するために、それらを使用してＥ−ＨＩＣＨ上の電力消費及び／又は対応する送信時間が評価される。送信がＥ−ＤＣＨのＥ−ＨＩＣＨ上で行われるであろうことを明確に通知するＵＬのＥ−ＤＰＣＣＨ上で、検出は行われる。
【００７８】
図７において、これら実施形態についての基礎が示されている。ＨＳＤＰＡは、時間７０１においてスケジューリングを決定する必要がある。決定の前にノードＢは、ＨＳＤＰＡスケジューラ（ＨＳ−Ｓ）にＥ−ＨＩＣＨ上の評価された電力消費を提供する必要がある（７０２）。これら３つの実施形態に係る評価は、時間帯７０３において行われる。ＨＳＤＰＡスケジューラが評価された電力消費を受け取った後に遅延７０４が存在する必要があり、それは評価を提供する（７０２）ために利用可能な合計時間をさらに制限する。時間帯７０３は、Ｅ−ＤＣＨのスケジューリングの決定（７０５）よりも早く開始することはできない。図２において遅延は、１つのＨＳＤＰＡ送信機会２０２についてのｍで表されるスケジューリング時間２０１としても、示されている。これは、ＭＡＣ−ｈｓスケジューラ（ＨＳ−Ｓ）が時間ｍ２０２におけるＨＳＤＰＡの送信のために適切な量の電力が想定されるように送信をスケジューリングすることを条件とするためである。なお、実施形態３、４、５について、ステップ８１０、９０７、及び１０７（図８〜１０を参照）は、同じ時間を参照すること、例えば当該時間は、ＨＳＤＰＡスケジューラによって決定される。
【００７９】
次に、３つのフロー図がノードＢ内において取られる内部のステップを説明しており、そこでは、Ｅ−ＨＩＣＨの電力消費値及び／又は対応する送信時間がＵＥ毎に評価され（７０３）、そしてＨＳＤＰＡスケジューラ（ＨＳ−Ｓ）に対して送信される（７０３）。フロー図の各々は、３つの候補となるソリューションを表す。なお、３つの全ての実施形態は、提供時間７０２に関する各ＵＥについてのＥ−ＤＣＨチャネルのタイミングに依存して、同時に現れてもよい。例えば、ノードＢは、第１のＵＥ１５について実施形態３を実行し、第２のＵＥについて実施形態５のみを実行する、などである。
【００８０】
第３の実施形態（図８）は、最も効率的なソリューションを表すものの、応答回数について最も高度な要件を伴うソリューションでもある。第５の実施形態（図１０）は、最も効率的でないソリューションを表すものの、応答回数について最も低い要件を伴う。以下の各ソリューションのステップ１、２、３は、Ｅ−ＨＩＣＨの電力を評価するためのノードＢの内部の動作を説明する。
【００８１】
図８〜１０に係る３つの実施形態全てにおいて、ノードＢ（ＮＢ）１１は、以下のステップを実行することによって、Ｅ−ＤＣＨのハイブリッド自動再送要求（ＨＡＲＱ）確認応答インジケータチャネル（Ｅ−ＨＩＣＨ）上の電力消費及び／又は対応する送信時間を評価する（８０９、９０６、１０６）：
１．拡張ダウンリンク物理制御チャネル（Ｅ−ＤＰＣＣＨ）の受信を待ち受けるステップ（８０２、９０２、１０２）。
２．Ｅ−ＤＣＨのハイブリッド自動再送要求（ＨＡＲＱ）確認応答インジケータチャネル（Ｅ−ＨＩＣＨ）上におけるＥ−ＤＣＨ  ＤＬ送信についての決定された送信時間を記憶するステップ（８０５、９０４、１０４）。
３．ＨＳ−ＤＳＣＨを介するＤＬのデータトラフィックについてのデータレートをスケジューリングするために、ＨＳＤＰＡスケジューラ（ＨＳ−Ｓ）がＥ−ＨＩＣＨについての評価された電力消費及び／又は対応する送信時間を収集（取得）しなければならない期限を決定するステップ（８１０、９０７、１０７）。
【００８２】
図２において１つのＨＳＤＰＡ送信機会２０２についてのｍで表されるスケジューリング時間２０１としても示されている遅延７０４によって、期限は決定される（図７を参照）。これは、ＭＡＣ−ｈｓスケジューラ（ＨＳ−Ｓ）が時間ｍ２０２におけるＨＳＤＰＡの送信のために適切な量の電力が想定されるように送信をスケジューリングすることを条件とするためである。
【００８３】
ステップ２は、セルＳＦＮ（System  Frame  Number）及びＥ−ＨＩＣＨの送信が行われるであろうスロット番号を決定することによって実行される。
【００８４】
第３及び第４の実施形態において（図８〜１０）、ノードＢ（ＮＢ）１１は、Ｅ−ＤＰＣＣＨの内容を決定された送信時間を記憶する（８０５、９０４）前に復号する（８０３、９０３）。
【００８５】
第５の実施形態において（図１０）、ノードＢ（ＮＢ）１１は、決定された送信時間を記憶する（１０４）前に、代わりに不連続送信（ＤＴＸ：Discontinuous  Transmission）を検出する（１０３）。この実施形態は、ノードＢ（ＮＢ）がＥ−ＤＰＣＣＨを復号する時間を有しておらず、その代わりにＥ−ＤＰＤＣＨのＤＴＸの検出を実行するという状況を示しており、当該ＤＴＸの検出は、時間の節約のために例えばＥ−ＤＰＤＣＨの最初のスロットのうちのいくつかの間に実行され得る。
【００８６】
また、第３の実施形態において、ノードＢ（ＮＢ）１１は、決定された送信時間を記憶する（８０５）前に、受信した拡張ダウンリンク物理専用チャネル（Ｅ−ＤＰＤＣＨ）の内容を復号する（８０４）。
【００８７】
３つの実施形態は、Ｅ−ＨＩＣＨ上の電力消費及び／又は対応する送信時間を評価するための異なるやり方を説明している。第３の実施形態において（図８を参照）、ノードＢ（１１）は、決定された送信時間を記憶した後に、以下のステップを実行する：
１．Ｅ−ＨＩＣＨ上におけるＥ−ＤＣＨ  ＤＬ送信において送信されることになるのが、確認応答（ＡＣＫ）又は否定ＡＣＫ（ＮＡＣＫ）のいずれであるかを判定するステップ（８０６）。
２．送信されることになるＡＣＫ又はＮＡＣＫについての最新の利用可能な評価された電力消費を取得するステップ（８０７、８０８）。
【００８８】
第４及び第５の実施形態において（図９〜１０を参照）、ノードＢ（ＮＢ）１１は、決定された送信時間を記憶した後に、以下のステップを実行する：
Ｅ−ＨＩＣＨ上におけるＥ−ＤＣＨ  ＤＬ送信において送信されることになるＡＣＫ又はＮＡＣＫについての最新の利用可能な電力消費の結合された値を取得するステップ（９０５、１０５）。
【００８９】
これは、Ｅ−ＤＣＨ  ＤＬ送信において送信されることになるのがＡＣＫ又はＮＡＣＫのいずれであるかを、ノードＢが判定できない場合に使用される。
【００９０】
ＡＣＫが送信される際にある電力が使用され、それは必ずしもＮＡＣＫを送信する際に使用されるのと同じ電力である必要はない。送信されるものがＡＣＫ又はＮＡＣＫであるかを知るために、Ｅ−ＤＰＣＣＨ及びＥ−ＤＰＤＣＨは復号される必要がある。これは、第３の実施形態において説明され、図８において示されている。
【００９１】
Ｅ−ＤＰＤＣＨを復号する時間がない場合でも、評価され、結合された電力消費に関する情報と共にＡＣＫ又はＮＡＣＫのいずれが送信されることになるかの情報をもたらすＥ−ＤＰＣＣＨは復号される。これは、第４の実施形態において説明され、図９において示されている。
【００９２】
第５の実施形態において、Ｅ−ＤＰＣＣＨ及びＥ−ＤＰＤＣＨ上のエネルギがある閾値を超えるか否かが検出される。エネルギがこの閾値に満たないと検出されることは、ＤＴＸ検出と呼ばれる。ステップ１０３においてこれはＮＯを意味する。この場合Ｅ−ＤＰＣＣＨ及び／又はＥ−ＤＰＤＣＨの復号は必要ないため、時間が節約される。Ｅ−ＤＰＣＣＨ及びＥ−ＤＰＤＣＨ上で両方のエネルギが閾値を超える場合、Ｅ−ＨＩＣＨ送信があるであろうと想定され得る。なお、実施形態３、４、５について、ステップ８１０、９０７、及び１０７は、同じ時間を参照しており、例えば当該時間は、ＨＳＤＰＡスケジューラによって決定される。
【００９３】
図８〜１０に係る３つの実施形態全てにおいて、ノードＢ（ＮＢ）１１は、ＨＳＤＰＡスケジューラ（ＨＳ−Ｓ）に対して全てのＥ−ＨＩＣＨ寄与者（contributor）についての評価された電力消費及び／又は対応する送信時間の情報を最終的に送信する。全ての寄与者は、Ｅ−ＨＩＣＨ送信が送信される全てのＵＥを意味し、電力消費は、異なる寄与者からの電力消費を合計することによって評価される。
【００９４】
異なるＥ−ＤＣＨチャネル（Ｅ−ＡＧＣＨ、Ｅ−ＲＧＣＨ、Ｅ−ＨＩＣＨ）についての評価された電力消費及び／又は対応する送信時間は、ＨＳＤＰＡスケジューラ（ＨＳ−Ｓ）に対して送信される。ノードＢ（ＮＢ）（１１）は、ＵＥ（１５）毎に電力消費及び／又は対応する送信時間を評価し得る。その後ＨＳＤＰＡスケジューラ（ＨＳ−Ｓ）は、評価された電力消費及び／又は対応する送信時間を、ＨＳ−ＤＳＣＨを介するＤＬのデータトラフィックについてのデータレートをスケジューリングする際に使用する。
【００９５】
第３、第４、及び第５の実施形態は、Ｅ−ＨＩＣＨ  ＤＬ送信の電力消費及び／又は対応する送信時間を評価するための異なる方法である。第１及び第２の実施形態におけるボックス４０４、４０５、６０４、６０５、６０６、６０７、及び６０９に係るステップは、これら３つの実施形態において実行されない。統計的な情報を使用する（第１及び第２の実施形態）代わりに、送信が行われるであろうことを通知する物理チャネルのデータがここでは使用される。
【００９６】
第３、第４、及び第５の実施形態において、Ｅ−ＤＰＣＣＨチャネル及び（第３の実施形態における）Ｅ−ＤＰＤＣＨチャネルは、継続的に復号される。ＥＵ１５から到達するＥ−ＤＰＣＣＨチャネルは、Ｅ−ＨＩＣＨについての送信時間に関する情報（８０５、９０４、１０４）をもたらす。その後ＡＣＫ及びＮＡＣＫのＥ−ＤＰＣＣＨからの情報が使用され、ＤＬのスケジューリングされる送信についての電力消費が評価される。第３の実施形態において、Ｅ−ＤＰＣＣＨ及びＥ−ＤＰＤＣＨの両方が復号されているため、ＡＣＫ及びＮＡＣＫは別々に制御され得る（Ｅ−ＨＩＣＨの正確な内容が決定される）。
【００９７】
電力消費のループ制御８０８−８１０−８０６−８０８−８１０（図８を参照）は、ＮＡＣＫがＥ−ＨＩＣＨ上で送信されることになる場合に実行される。ＡＣＫについてのループ制御は、代わりに８０７−８１０−８０６−８０７−８１０を含む。図９及び１０において、ＮＡＣＫ／ＡＣＫが制御されない点で異なる同様のループが実行される。これらループは、ＨＳＤＰＡスケジューラ（ＨＳ−Ｓ）が情報を必要とする期限に達するまで継続する（８１０、９０７、１０７）（図７を参照）。その後Ｅ−ＨＩＣＨのＮＡＣＫ又はＡＣＫについての電力消費及び／又は対応する送信時間の情報に関する情報は、ＨＳスケジューラ（ＨＳ−Ｓ）に対して送信される。
【００９８】
ノードＢが電力消費及び／又は対応する送信時間を評価し及び送信するという事実は、ノードＢが情報の一部を少なくとも評価し及び送信することを意味する。最も重要なことは、何かが起こりそうであることをそのＨＳＤＰＡスケジューラに通知し、ＤＬ送信をスケジューリングする際にスケジューラがこれを考慮することができるようにすることである。
【００９９】
ループ制御は、電力消費の評価のために利用可能な時間の全てを提供する。電力消費の計算は、期限に達しない限り継続され得る。これにより評価が改善される。電力消費を計算するために、チャネル品質評価（ＣＱＩ）及び送信電力制御（ＴＰＣ）が使用される。
【０１００】
ＨＳ−ＤＰＣＣＨ（存在する場合）の受信においてＣＱＩ情報が復号され、その情報はＥ−ＨＩＣＨの電力値を計算するアルゴリズムにおいて使用され得る。続いてＤＰＣＣＨ上のＴＰＣの受信において、ＴＰＣ（送信電力制御）がＥ−ＨＩＣＨの電力値を計算するアルゴリズムにおいて使用され得る。これらアルゴリズムの詳細は、本発明についての範囲外である。前提とされるべきことは、ＣＱＩ／ＴＣＰの集まりから情報を利用し得るアルゴリズムが存在し、それはＥ−ＨＩＣＨについての必要な電力値を計算する、ということのみである。当該アルゴリズムは、Ｅ−ＨＩＣＨ送信上のＡＣＫ及びＮＡＣＫについて別々の電力値を予測するということを前提とする。
【０１０１】
ＣＱＩは、ＵＥ１５がどのように 周辺環境を認知しているかをノードＢ（ＮＢ）１１に通知する。ＣＱＩは、例えば“悪い”、“普通／良い”、及び“非常に良い”に分けられ得る。ＴＰＣは、ＵＥ及び／又はノードＢがもう一方に送信電力を上げるか又は下げるよう指示する方法である。これらメカニズムを使用して、ＵＥへのＥ−ＤＣＨ  ＤＬ送信についての良好な電力評価を実現することができる。
【０１０２】
図３〜１０に係るＥ−ＨＩＣＨの評価は、ＵＥ毎に実行され得る。これら全ての実施形態について、電力消費のＥ−ＡＧＣＨ及びＥ−ＲＧＣＨの評価は、Ｅ−ＨＩＣＨの評価と関係なく行われる。これら２つのチャネルについての評価された電力消費は、ＥＵＬスケジューラ（ＥＵＬ−Ｓ）がそのスケジューリングの決定をし次第、すぐに送信され得る。一方Ｅ−ＨＩＣＨの電力消費の評価は、遅くともＨＳＤＰＡスケジューラ（ＨＳ−Ｓ）に対して情報を送信する期限に達する際に送信されなければならない。
【０１０３】
上記方法及び上記ノードＢがダウンリンクＥ−ＤＣＨの電力使用量の分配のために実装される通信システムは、４Ｇ（第４世代）又はＬＴＥ（Long  Term  Evolution）システムであってもよいことを、当業者は理解すべきである。
【図１】
2011520337.tif 000003
【図２】
2011520337.tif 000004
【図３】
2011520337.tif 000005
【図４】
2011520337.tif 000006
【図５】
2011520337.tif 000007
【図６】
2011520337.tif 000008
【図７】
2011520337.tif 000009
【図８】
2011520337.tif 000010
【図９】
2011520337.tif 000011
【図１０】
2011520337.tif 000012
【図１１】
2011520337.tif 000013
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
少なくとも１つのユーザ端末（ＵＥ）（１５）との間のワイヤレス通信を可能とする少なくとも１つのノードＢ（ＮＢ）（１１）を含む通信システムにおいてダウンリンクＥ−ＤＣＨの電力使用量を分配するための方法であって、
前記通信は、前記ユーザ端末（ＵＥ）（１５）と前記ノードＢ（ＮＢ）（１１）との間のアップリンク（ＵＬ）及びダウンリンク（ＤＬ）のデータトラフィックのための、拡張専用伝送チャネル（Ｅ−ＤＣＨ：enhanced  dedicated  transport  channel）及び１つの高速ダウンリンク共有チャネル（ＨＳ−ＤＳＣＨ：high  speed  downlink  shared  channel）を介して可能となり、
前記ノードＢ（ＮＢ）（１１）は、前記ＨＳ−ＤＳＣＨを介する前記ＤＬのデータトラフィックについてのデータレートをスケジューリングするためのＨＳＤＰＡスケジューラ（ＨＳ−Ｓ）と、Ｅ−ＤＣＨを介する前記ＵＬのデータトラフィックについての最大のデータレートをスケジューリングするためのＥＵＬスケジューラ（ＥＵＬ−Ｓ）とを含み、
前記方法は、
前記ノードＢ（ＮＢ）（１１）が、少なくとも１つのＥ−ＤＣＨ物理チャネル上における少なくとも１つの来るべきＥ−ＤＣＨ  ＤＬ送信についての電力消費及び／又は対応する送信時間を評価すること（４０３、４０４、６０３、６０４、６０８、８０９、９０６、１０６、１１１）と、
前記ノードＢ（ＮＢ）（１１）が、Ｅ−ＤＣＨ  ＤＬ送信に先立って前記ＨＳＤＰＡスケジューラ（ＨＳ−Ｓ）に対して評価された前記電力消費及び／又は前記対応する送信時間の情報を送信すること（４０３、４０５、６０３、６０９、８１１、９０８、１０８、１１２）と、
を特徴とする、方法。
【請求項２】
前記ＥＵＬスケジューラ（ＥＵＬ−Ｓ）又は前記ノードＢ（ＮＢ）内において前記ＥＵＬスケジューラ（ＥＵＬ−Ｓ）の外部に配置される構成要素が、評価された前記電力消費及び／又は前記対応する送信時間の情報を送信する、請求項１に記載の方法。
【請求項３】
前記ＥＵＬスケジューラ（ＥＵＬ−Ｓ）又は前記ノードＢ（ＮＢ）内において前記ＥＵＬスケジューラ（ＥＵＬ−Ｓ）の外部に配置される構成要素が、前記電力消費及び／又は前記対応する送信時間を評価する、先行する請求項のいずれかに記載の方法。
【請求項４】
前記ノードＢ（ＮＢ）（１１）は、１つより多くのＥ−ＤＣＨ  ＤＬ送信についての前記電力消費及び／又は前記対応する送信時間を評価する、先行する請求項のいずれかに記載の方法。
【請求項５】
前記ノードＢ（ＮＢ）（１１）は、前記ＥＵＬスケジューラ（ＥＵＬ−Ｓ）がスケジューリングの決定をし次第、前記電力消費及び／又は前記対応する送信時間を収集することによって、拡張絶対的使用権チャネル（Ｅ−ＡＧＣＨ）及び／又は拡張相対的使用権チャネル（Ｅ−ＲＧＣＨ）上の前記電力消費及び／又は前記対応する送信時間を評価する（４０３、６０３）、先行する請求項のいずれかに記載の方法。
【請求項６】
前記ノードＢ（ＮＢ）（１１）は、前記電力消費についての第１の平均値を計算することによって、Ｅ−ＤＣＨのハイブリッド自動再送要求（ＨＡＲＱ）確認応答インジケータチャネル（Ｅ−ＨＩＣＨ）上の前記電力消費を評価する（４０４、６０４）、先行する請求項のいずれかに記載の方法。
【請求項７】
前記ノードＢ（ＮＢ）（１１）は、Ｅ−ＨＩＣＨのＥ−ＤＣＨ  ＤＬ送信についての記憶されているＥ−ＨＩＣＨの電力消費値及び前記対応する送信時間の情報を使用して前記第１の平均値を計算する（４０４）、請求項６に記載の方法。
【請求項８】
前記ノードＢ（ＮＢ）（１１）は、前記ＨＳＤＰＡスケジューラ（ＨＳ−Ｓ）に対して、Ｅ−ＨＩＣＨについての前記電力消費についての前記第１の平均値又はバイアスされた第１の平均値を送信することによって、評価された前記電力消費を送信する（４０５、６０９）、請求項６〜７のいずれかに記載の方法。
【請求項９】
前記ノードＢ（ＮＢ）（１１）は：
拡張ダウンリンク物理制御チャネル（Ｅ−ＤＰＣＣＨ）の受信を待ち受けるステップ（８０２、９０２、１０２）と、
Ｅ−ＤＣＨのハイブリッド自動再送要求（ＨＡＲＱ）確認応答インジケータチャネル（Ｅ−ＨＩＣＨ）上におけるＥ−ＤＣＨ  ＤＬ送信についての決定された送信時間を記憶するステップ（８０５、９０４、１０４）と、
前記ＨＳ−ＤＳＣＨを介する前記ＤＬのデータトラフィックについてのデータレートをスケジューリングするために、前記ＨＳＤＰＡスケジューラ（ＨＳ−Ｓ）によりＥ−ＨＩＣＨについての評価された前記電力消費及び／又は前記対応する送信時間を収集しなければならない期限を決定するステップ（８１０、９０７、１０７）と、
を実行することによって、Ｅ−ＤＣＨのハイブリッド自動再送要求（ＨＡＲＱ）確認応答インジケータチャネル（Ｅ−ＨＩＣＨ）上の前記電力消費及び／又は前記対応する送信時間を評価する（８０９、９０６、１０６）、
請求項１〜５のいずれかに記載の方法。
【請求項１０】
前記ＨＳＤＰＡスケジューラ（ＨＳ−Ｓ）は、評価された前記電力消費及び／又は前記対応する送信時間を、前記ＨＳ−ＤＳＣＨを介する前記ＤＬのデータトラフィックについてのデータレートをスケジューリングする際に使用する、先行する請求項のいずれかに記載の方法。
【請求項１１】
前記電力消費及び／又は前記対応する送信時間の前記評価（４０３、４０４、６０４、６０８）に先立って、完了したＥ−ＤＣＨのスケジューリングの待ち受け（４０２、６０２）が行われる、請求項１〜８のいずれかに記載の方法。
【請求項１２】
少なくとも１つのユーザ端末（ＵＥ）（１５）との間のワイヤレス通信を可能とするために通信システム内に配置され、ダウンリンクＥ−ＤＣＨの電力使用量を分配するためのノードＢ（ＮＢ）（１１）であって、
前記通信は、前記ユーザ端末（ＵＥ）（１５）と前記ノードＢ（ＮＢ）（１１）との間のアップリンク（ＵＬ）及びダウンリンク（ＤＬ）のデータトラフィックのための拡張専用伝送チャネル（Ｅ−ＤＣＨ）及び１つの高速ダウンリンク共有チャネル（ＨＳ−ＤＳＣＨ）を介して可能となり、
前記ノードＢ（ＮＢ）（１１）は、前記ＨＳ−ＤＳＣＨを介する前記ＤＬのデータトラフィックについてのデータレートをスケジューリングするためのＨＳＤＰＡスケジューラ（ＨＳ−Ｓ）と、Ｅ−ＤＣＨを介する前記ＵＬのデータトラフィックについての最大のデータレートをスケジューリングするためのＥＵＬスケジューラ（ＥＵＬ−Ｓ）とを含み、
前記ノードＢ（ＮＢ）（１１）は、少なくとも１つのＥ−ＤＣＨ物理チャネル上における少なくとも１つの来るべきＥ−ＤＣＨ  ＤＬ送信についての電力消費及び／又は対応する送信時間を評価する（４０３、４０４、６０３、６０４、６０８、８０９、９０６、１０６、１１１）ためのメカニズムを含み、
前記ノードＢ（ＮＢ）（１１）は、Ｅ−ＤＣＨ  ＤＬ送信に先立って、評価された前記電力消費及び／又は前記対応する送信時間の情報を前記ＨＳＤＰＡスケジューラ（ＨＳ−Ｓ）へ送信する（４０３、４０５、６０３、６０９、８１１、９０８、１０８、１１２）ためのメカニズムをさらに含む、
ことを特徴とする、ノードＢ（ＮＢ）（１１）。
【請求項１３】
前記ＥＵＬスケジューラ（ＥＵＬ−Ｓ）又は前記ノードＢ（ＮＢ）内において前記ＥＵＬスケジューラ（ＥＵＬ−Ｓ）の外部に配置される構成要素が、前記電力消費及び／又は前記対応する送信時間を送信するためのメカニズムを含む、請求項２５に記載のノードＢ（ＮＢ）（１１）。
【請求項１４】
前記ＥＵＬスケジューラ（ＥＵＬ−Ｓ）又は前記ノードＢ（ＮＢ）内において前記ＥＵＬスケジューラ（ＥＵＬ−Ｓ）の外部に配置される構成要素が、前記電力消費及び／又は前記対応する送信時間を評価するためのメカニズムを含む、請求項１２〜１３のいずれかに記載のノードＢ（ＮＢ）（１１）。
【請求項１５】
前記ノードＢ（ＮＢ）（１１）は、１つより多くのＥ−ＤＣＨ  ＤＬ送信についての前記電力消費及び／又は前記対応する送信時間を評価するためのメカニズムを含む、請求項１２〜１４のいずれかに記載のノードＢ（ＮＢ）（１１）。
【請求項１６】
前記ノードＢ（ＮＢ）（１１）は、前記ＥＵＬスケジューラ（ＥＵＬ−Ｓ）がスケジューリングの決定をし次第、前記電力消費及び／又は前記対応する送信時間を収集することによって、拡張絶対的使用権チャネル（Ｅ−ＡＧＣＨ）及び／又は拡張相対的使用権チャネル（Ｅ−ＲＧＣＨ）上の前記電力消費及び／又は前記対応する送信時間を評価する（４０３、６０３）ためのメカニズムを含む、請求項１２〜１５のいずれかに記載のノードＢ（ＮＢ）（１１）。
【請求項１７】
前記ノードＢ（ＮＢ）（１１）は、前記電力消費についての第１の平均値を計算することによって、Ｅ−ＤＣＨのハイブリッド自動再送要求（ＨＡＲＱ）確認応答インジケータチャネル（Ｅ−ＨＩＣＨ）上の前記電力消費を評価する（４０４、６０４）ためのメカニズムを含む、請求項１２〜１６のいずれかに記載のノードＢ（ＮＢ）（１１）。
【請求項１８】
前記ノードＢ（ＮＢ）（１１）は、Ｅ−ＨＩＣＨのＥ−ＤＣＨ  ＤＬ送信についての記憶されているＥ−ＨＩＣＨの電力消費値及び前記対応する送信時間の情報を使用して前記第１の平均値を計算する（４０４）ためのメカニズムを含む、請求項１７に記載のノードＢ（ＮＢ）（１１）。
【請求項１９】
前記ノードＢ（ＮＢ）（１１）は、
Ｅ−ＨＩＣＨについての前記電力消費についての前記第１の平均値又はバイアスされた第１の平均値を前記ＨＳＤＰＡスケジューラ（ＨＳ−Ｓ）へ送信することによって、評価された前記電力消費を送信する（４０５、６０９）ためのメカニズム、
を含む、請求項１７〜１８のいずれかに記載のノードＢ（ＮＢ）（１１）。
【請求項２０】
前記ノードＢ（ＮＢ）（１１）は：
拡張ダウンリンク物理制御チャネル（Ｅ−ＤＰＣＣＨ）の受信を待ち受けるステップ（８０２、９０２、１０２）と、
Ｅ−ＤＣＨのハイブリッド自動再送要求（ＨＡＲＱ）確認応答インジケータチャネル（Ｅ−ＨＩＣＨ）上におけるＥ−ＤＣＨ  ＤＬ送信についての決定された送信時間を記憶するステップ（８０５、９０４、１０４）と、
前記ＨＳ−ＤＳＣＨを介する前記ＤＬのデータトラフィックについてのデータレートをスケジューリングするために、前記ＨＳＤＰＡスケジューラ（ＨＳ−Ｓ）がＥ−ＨＩＣＨについての評価された前記電力消費及び／又は前記対応する送信時間を収集しなければならない期限を決定するステップ（８１０、９０７、１０７）と、
を実行することによって、Ｅ−ＤＣＨのハイブリッド自動再送要求（ＨＡＲＱ）確認応答インジケータチャネル（Ｅ−ＨＩＣＨ）上の前記電力消費及び／又は前記対応する送信時間を評価する（８０９、９０６、１０６）ためのメカニズム、
を含む、請求項１２〜１６のいずれかに記載のノードＢ（ＮＢ）（１１）。
【請求項２１】
前記ＨＳＤＰＡスケジューラ（ＨＳ−Ｓ）は、
評価された前記電力消費及び／又は前記対応する送信時間を、前記ＨＳ−ＤＳＣＨを介する前記ＤＬのデータトラフィックについてのデータレートをスケジューリングする際に使用するためのメカニズム、
を含む、請求項１２〜２０のいずれかに記載のノードＢ（ＮＢ）（１１）。
【請求項２２】
前記電力消費及び／又は前記対応する送信時間の前記評価（４０３、４０４、６０４、６０８）に先立って、完了したＥ−ＤＣＨのスケジューリングの待ち受け（４０２、６０２）が行われる、請求項１２〜１９のいずれかに記載のノードＢ（ＮＢ）（１１）。
【請求項２３】
ダウンリンクＥ−ＤＣＨの電力使用量を分配するための通信システムであって、少なくとも１つのノードＢが、少なくとも１つのユーザ端末（ＵＥ）（１５）との間のワイヤレス通信を可能とするために前記通信システム内に配置され、
前記通信は、前記ユーザ端末（ＵＥ）（１５）と前記ノードＢ（ＮＢ）（１１）との間のアップリンク（ＵＬ）及びダウンリンク（ＤＬ）のデータトラフィックのための拡張専用伝送チャネル（Ｅ−ＤＣＨ）及び１つの高速ダウンリンク共有チャネル（ＨＳ−ＤＳＣＨ）を介して可能となり、
前記ノードＢ（ＮＢ）（１１）は、前記ＨＳ−ＤＳＣＨを介する前記ＤＬのデータトラフィックについてのデータレートをスケジューリングするためのＨＳＤＰＡスケジューラ（ＨＳ−Ｓ）と、Ｅ−ＤＣＨを介する前記ＵＬのデータトラフィックについての最大のデータレートをスケジューリングするためのＥＵＬスケジューラ（ＥＵＬ−Ｓ）とを含み、
前記通信システムは、
前記ノードＢ（ＮＢ）（１１）が、少なくとも１つのＥ−ＤＣＨ物理チャネル上における少なくとも１つの来るべきＥ−ＤＣＨ  ＤＬ送信についての電力消費及び／又は対応する送信時間を評価する（４０３、４０４、６０３、６０４、６０８、８０９、９０６、１０６、１１１）ためのメカニズムを含み、
前記ノードＢ（ＮＢ）（１１）が、Ｅ−ＤＣＨ  ＤＬ送信に先立って、評価された前記電力消費及び／又は前記対応する送信時間の情報を前記ＨＳＤＰＡスケジューラ（ＨＳ−Ｓ）へ送信する（４０３、４０５、６０３、６０９、８１１、９０８、１０８、１１２）ためのメカニズムをさらに含む、
ことを特徴とする、通信システム。
【国際調査報告】
2011520337.tif 000014
2011520337.tif 000015
2011520337.tif 000016